(57)【要約】【課題】水を吐出させるときと流体混入水を吐出させるときとの切換えの繁雑さを解消することができるノズルを提供すること、を課題とする。【解決手段】容器１０１内の流体を水に混入させて流体混入水とし、流体混入水を吐出するように構成されるノズル１であって、水が流入する流入部２と、流入部２から流入した水の流れを絞って水の流速を増加させて流速が増加した水を下流側に流出する絞り部３と、絞り部３から下流側へ流出する水に流体が混入されて流体混入水となるように容器１０１内の流体をノズル１内に導入するものであり、ノズル１内に導入された流体の流路を開閉可能に構成される流体導入部４と、を具備する。【選択図】図２
2013198892.tif 000002
【特許請求の範囲】
【請求項１】
容器内の流体を水に混入させて流体混入水とし、前記流体混入水を吐出するように構成されるノズルであって、
前記水が流入する流入部と、
前記流入部から流入した水の流れを絞って前記水の流速を増加させて、前記流速が増加した水を下流側に流出する絞り部と、
前記絞り部から下流側へ流出する水に前記流体が混入されて前記流体混入水となるように前記容器内の流体を前記ノズル内に導入するものであり、前記ノズル内に導入された流体の流路を開閉可能に構成される流体導入部と、
を具備する、ノズル。
【請求項２】
前記絞り部から下流側へ流出する水、または、前記流体混入水に気泡が混入するように前記ノズル内に空気を導入する空気導入部を具備し、
前記空気導入部によって前記水または前記流体混入水に気泡を混入させて、前記気泡が混入された前記水または前記気泡が混入された前記流体混入水を吐出する、
請求項１に記載のノズル。
【請求項３】
前記絞り部への水の流入の遮断を断続的に行う断続的遮断部を具備し、
前記断続的遮断部において前記絞り部への水の流入の遮断を断続的に行うことにより、前記絞り部から流出する水の水流を断続的なものに変化させて、脈動するような水または流体混入水を吐出する、請求項１または請求項２に記載のノズル。
【発明の詳細な説明】
【技術分野】
【０００１】
本発明は、水に流体を混入させて流体混入水とし、流体混入水を吐出するノズルの技術に関する。
【背景技術】
【０００２】
従来、水が流入する流入部と、流入部から流入した水の流れを絞って水の流速を増加させてこれを流出する絞り部と、を具備するノズルの技術は公知となっている（特許文献１参照）。
前記ノズルは、蛇口やホース等の水の流出口に接続されて、例えば、壁、天井、浴槽、金属製部材、樹脂製部材、建造物、動物、植物、または、人体等の対象物に、水を吐出するように用いられる。
【０００３】
また、ノズルには、気体または液体等の流体（気体または液体）が溜められる容器に接続されて、絞り部から下流側へ流出する水に容器内の流体が混入されて当該流体が混入された水（流体混入水）として、これを吐出するものがある。
前記流体には、例えば、洗浄液、先髪剤、消毒剤、塗料、髪染剤、消毒液、液体若しくは気体の炭酸ガス、または、液体若しくは気体の酸素等、がある。
【先行技術文献】
【特許文献】
【０００４】
【特許文献１】特開昭５２−９４５１３号公報
【発明の概要】
【発明が解決しようとする課題】
【０００５】
しかしながら、前記ノズルでは、絞り部から下流側へ水が流出すると、容器内の流体が自動的にノズル内に導入されて当該水に流体が混入されることとなる。
このため、前記ノズルでは、水を吐出させるとき（水に流体を混入させたくないとき）には容器をノズルから取外し、水に流体を混入させたいとき（流体混入水を吐出させるとき）には前記取外した容器をノズルに取付ける、等の作業を要する。
このように前記ノズルでは、容器の取付けまたは取外し作業を要し、水を吐出させるときと流体混入水を吐出させるときとの切換えが繁雑なものであった。
【０００６】
本発明は以上の如き状況に鑑みてなされたものであり、水を吐出させるときと流体混入水を吐出させるときとの切換えの繁雑さを解消することができるノズルを提供すること、を課題とする。
【課題を解決するための手段】
【０００７】
本発明の解決しようとする課題は以上の如くであり、次にこの課題を解決するための手段を説明する。
【０００８】
即ち、請求項１においては、容器内の流体を水に混入させて流体混入水とし、前記流体混入水を吐出するように構成されるノズルであって、前記水が流入する流入部と、前記流入部から流入した水の流れを絞って前記水の流速を増加させて、前記流速が増加した水を下流側に流出する絞り部と、前記絞り部から下流側へ流出する水に前記流体が混入されて前記流体混入水となるように前記容器内の流体を前記ノズル内に導入するものであり、前記ノズル内に導入された流体の流路を開閉可能に構成される流体導入部と、を具備するものである。
【０００９】
請求項２においては、前記絞り部から下流側へ流出する水、または、前記流体混入水に気泡が混入するように前記ノズル内に空気を導入する空気導入部を具備し、前記空気導入部によって前記水または前記流体混入水に気泡を混入させて、前記気泡が混入された前記水または前記気泡が混入された前記流体混入水を吐出するものである。
【００１０】
請求項３においては、前記絞り部への水の流入の遮断を断続的に行う断続的遮断部を具備し、前記断続的遮断部において前記絞り部への水の流入の遮断を断続的に行うことにより、前記絞り部から流出する水の水流を断続的なものに変化させて、脈動するような水または流体混入水を吐出するものである。
【発明の効果】
【００１１】
本発明の効果として、以下に示すような効果を奏する。
【００１２】
即ち、本発明によれば、水を吐出させるときと流体混入水を吐出させるときとの切換えの繁雑さを解消することができる。
【図面の簡単な説明】
【００１３】
【図１】本発明の第一実施形態に係るノズルの全体的な構成を示した正面図。
【図２】同じく断面図。
【図３】同じく拡大断面図。
【図４】本発明の第一実施形態に係るノズルの絞り部材を示した底面図。
【図５】本発明の第一実施形態に係るノズルの一部拡大断面図。
【図６】同じく一部拡大断面図。
【図７】本発明の第一実施形態に係るノズルの全体的な構成を示した断面図。
【図８】同じく断面図。
【図９】本発明の第二実施形態に係るノズルの全体的な構成を示した断面図。
【図１０】同じく断面図。
【図１１】同じく断面図。
【図１２】本発明の第三実施形態に係るノズルの全体的な構成を示した断面図。
【図１３】同じく拡大断面図。
【図１４】同じく一部拡大断面図。
【図１５】本発明の第三実施形態に係るノズルにおける空気導入量調節弁の動作を示した図。
【図１６】本発明の第三実施形態に係るノズルの全体的な構成を示した一部拡大断面図。
【図１７】同じく一部拡大断面図。
【図１８】同じく一部拡大断面図。
【図１９】本発明の第四実施形態に係るノズルの全体的な構成を示した断面図。
【図２０】本発明の第五実施形態に係るノズルの全体的な構成を示した断面図。
【図２１】同じく一部拡大断面図。
【図２２】同じく一部拡大断面図。
【図２３】本発明の第六実施形態に係るノズルとシャワーヘッドとを示した斜視図。
【図２４】同じくノズルにおける空気導入量調節弁を分解した状態を示した斜視図。
【図２５】同じくノズルにおける空気導入量調節弁を示した断面図。
【図２６】同じくノズルにおける空気導入量調節弁を示した斜視図。
【図２７】同じくノズルにおける空気導入量調節弁を示した斜視図。
【図２８】同じくノズルにおける空気導入量調節弁を示した斜視図。
【図２９】同じくノズルとシャワーヘッドとを示した斜視図。
【図３０】同じくノズルとシャワーヘッドとを示した斜視図。
【図３１】本発明の第七実施形態に係るノズルとシャワーヘッドとを分解した状態を示した斜視図。
【図３２】同じくノズルとシャワーヘッドとを示した斜視図。
【図３３】同じくノズルにおける空気導入量調節弁を示した断面図。
【図３４】同じくノズルとシャワーヘッドとを示した斜視図。
【図３５】同じくノズルとシャワーヘッドとを示した斜視図。
【発明を実施するための形態】
【００１４】
次に、本発明の第一実施形態に係るノズル１について、図１から図８を用いて説明する。
【００１５】
ノズル１は、図１乃至図３に示すように、水の流出口１００と、流体（液体または気体）が溜められる容器１０１と、にそれぞれ接続されて用いられる。
ノズル１は、水の流出口１００からノズル１内に流入した水の流速を増加させ、前記水に容器１０１内の流体を混入させて流体混入水とし、前記流体混入水を吐出するように構成される。
ノズル１は、例えば、壁、天井、浴槽、金属製部材、樹脂製部材、建造物、動物、植物、または、人体等の対象物に、流体混入水を吐出するように用いられる。
【００１６】
容器１０１は、容器本体１０２と蓋体１０３とを備え、容器本体１０２内部に流体が溜められるように構成される。
流体には、例えば、洗浄液、先髪剤、消毒剤、塗料、髪染剤、消毒液、液体若しくは気体の炭酸ガス、または、液体若しくは気体の酸素等、の液体または気体がある。
【００１７】
ノズル１は、水流入部２と、絞り部３と、流体導入部４と、吐出口５と、を備える。
【００１８】
ノズル１の水流入部２は、水の流出口１００に接続されて、当該水の流出口１００（例えば、蛇口やホース）からの水がノズル１内に流入するように構成される。
【００１９】
ノズル１の絞り部３は、水流入部２からノズル１内に流入した水の流れを絞って水の流速を増加させるように構成される。ノズル１は、絞り部３から下流側へ流出する水の流速が、絞り部３の上流側の水の流速よりも増加するように構成される。絞り部３は、前記流速が増加した水を下流側に流出するように構成される。
絞り部３は、水流入部２よりも下流側に配置される。
【００２０】
ノズル１の流体導入部４は、絞り部３から下流側へ流出する水に容器１０１内の流体がノズル１内において混入するように、容器１０１（ノズル１外）からノズル１内（絞り部３の下流側部分近傍）に流体を導入する。流体導入部４は、絞り部３から下流側へ流出する水に容器１０１内の流体が混入されて流体混入水となるように、容器１０１内の流体をノズル１内に導入する。
ノズル１の流体導入部４は、その流体流路と容器１０１（容器本体１０２）内とが連通するように構成される。
流体導入部４は、ノズル１を操作する者によって操作することによって、流体流路を開閉可能に構成される。
流体導入部４の流体流路とは、ノズル１内に導入された流体の流路であり、容器１０１（ノズル１外）からノズル１内に導入された流体が絞り部３から下流側へ流出する水に混入されるまで（絞り部３の下流側近傍まで）流通するノズル１内における流体の流路を示す。
【００２１】
そして、ノズル１の流体導入部４は、流体流路を開放した状態では、絞り部３から下流側へ流出する水の水流によって流体が吸引されることにより、ノズル１内に流体を導入するように構成される。
また、流体導入部４は、流体流路を閉鎖した状態では、絞り部３から下流側へ流出する水の水流によって流体が吸引されず、ノズル１内に流体を導入しないように構成される。
【００２２】
このようにして、ノズル１は、流体導入部４の流体流路が開放された状態では、流体導入部４によって容器１０１内の流体をノズル１内に導入させて絞り部３から下流側へ流出する水に流体を混入させて、絞り部３から下流側へ流出する水を流体混入水とするように構成される。
また、ノズル１は、流体導入部４の流体流路が閉鎖された状態では、流体導入部４によって容器１０１内の流体をノズル１内に導入させず、絞り部３から下流側へ流出する水に流体を混入させないように構成される。
【００２３】
ノズル１の吐出口５は、水または流体混入水を吐出するものである。
【００２４】
このようにして、ノズル１は、流体導入部４の流体流路が開放された状態では、水流入部２からノズル１内に流入して絞り部３から下流側へ流出する水に流体を混入させて流体混入水とし、当該流体混入水を吐出口５から吐出するように構成される。
また、ノズル１は、流体導入部４の流体流路が閉鎖された状態では、絞り部３から下流側へ流出する水に流体を混入させずに、当該水を吐出口５から吐出するように構成される。
【００２５】
以上のように、ノズル１は、その流体流路を開閉可能に構成される流体導入部４を具備する。そして、ノズル１では、流体導入部４において流体流路を開閉することによって水に流体を混入させる時機を決定することができる。
このため、ノズル１では、容器１０１をノズル１から取外す作業を要さずに水に流体が混入しないようにすることができ、また、前記取外した容器１０１をノズル１に取付ける作業を要さずに水に流体を混入させることができる。つまり、ノズル１では、水を吐出させるとき（水に流体を混入させたくないとき）には容器１０１をノズル１から取外し、流体混入水を吐出させるとき（水に流体を混入させたいとき）に前記取外した容器１０１をノズル１に取付ける、等の作業を要さない。
したがって、ノズル１によれば、水を吐出させるときと流体混入水を吐出させるときとの切換え（容器１０１の取付けまたは取外し作業）の繁雑さを解消することができる。
【００２６】
また、ノズル１は、断続的遮断部６を具備する。
ノズル１の断続的遮断部６は、絞り部３の開放と閉鎖とを絞り部３の上流側において順次行って、絞り部３への水の流入の遮断を断続的に行うように構成される。
ノズル１では、断続的遮断部６において絞り部３への水の流入の遮断を断続的に行うことにより、絞り部３から流出する水の水流を断続的なものに変化させる。
そして、ノズル１では、絞り部３から流出する水の水流を断続的なものに変化させて、ノズル１の吐出口５から吐出する水または流体混入水の水流を断続的なものに変化させる。
このようにして、ノズル１は、その吐出口５から脈動するような水または流体混入水を吐出する。
【００２７】
断続的遮断部６を具備するノズル１は、例えば、前記脈動するような水または流体混入水を吐出口５から対象物に吐出することによって当該対象物を洗浄すること、に用いられる。
ノズル１から脈動するような水または流体混入水が吐出された対象物は、水または流体混入水の水勢に加えて、水または流体混入水が脈動することによって生じる振動によって、洗浄されることとなる。
このため、ノズル１では、脈動しない水または流体混入水よりも、水または流体混入水の洗浄効果を向上させることができる。
【００２８】
さらに、ノズル１は、空気導入部７を具備する。
ノズル１の空気導入部７は、ノズル１内において絞り部３から下流側へ流出する水または流体混入水に気泡が混入するように、ノズル１外からノズル１内（絞り部３の下流側部分近傍）に空気を導入するように構成される。
【００２９】
ノズル１の空気導入部７における空気の入口は、ノズル１の外側（外側の面）に形成される。空気導入部７における空気の出口は、ノズル１内における絞り部３の下流側部分近傍に形成される。空気導入部７は、空気導入部７における空気の入口から流入して空気導入部７における空気の出口から流出した空気が、ノズル１内に導入されるように構成される。
空気導入部７は、絞り部３から下流側へ流出する水の水流によって空気が吸引されることにより、ノズル１内に空気を導入するように構成される。
【００３０】
ノズル１は、流体導入部４によって流体流路が開放された状態では、空気導入部７によってノズル１内に空気が導入されて、流体混入水に気泡が混入するように、構成される。
ノズル１は、流体導入部４によって流体流路が閉鎖された状態では、空気導入部７によってノズル１内に空気が導入されて、流体が混入されない水（絞り部３から下流側へ流出する水）に気泡が混入するように、構成される。
【００３１】
このようにして、ノズル１は、空気導入部７によってノズル１内に空気を導入させて、ノズル１内において流体が混入されない水、または、流体混入水に気泡を混入する。
そして、ノズル１は、気泡が混入された水または気泡が混入された流体混入水をその吐出口５から吐出する。
【００３２】
空気導入部７を具備するノズル１は、例えば、前記気泡が混入された水または流体混入水を吐出口５から対象物に吐出することによって当該対象物を洗浄すること、に用いられる。
ノズル１から気泡が混入された水または流体混入水が吐出された対象物は、水または流体混入水の水勢、または、水または流体混入水が脈動することによって生じる振動に加えて、水または流体混入水に混入される気泡によっても洗浄されることとなる。
このため、ノズル１では、気泡が混入されない水または流体混入水よりも、水または流体混入水の洗浄効果を向上させることができる。
【００３３】
次に、ノズル１の具体的構成について説明する。
ノズル１は、図１乃至図３に示すように、ノズル本体１ａと、弁部材１ｂと、を具備し、管部材１１０および接続管１２０を介して容器１０１に接続される。
【００３４】
ノズル１のノズル本体１ａは、全体的に略筒状に形成せれる。ノズル本体１ａは、接続部材１０と、水流方向変換部材２０と、絞り部材３０と、回転体４０と、上流側筒部材５０と、下流側筒部材５５と、を備える。
【００３５】
ノズル１におけるノズル本体１ａの接続部材１０は、略筒状に形成される。
ノズル本体１ａの接続部材１０は、蛇口で構成される水の流出口１００に接続されて、当該水の流出口１００から流出する水がその内部に流入するように構成される。ノズル本体１ａの接続部材１０は、ノズル１の水流入部２として構成される。
【００３６】
ノズル１におけるノズル本体１ａの接続部材１０は、固定リング１１と、固定ブッシュ１２と、パッキン１３と、固定ナット１４と、を有して構成される。
ノズル本体１ａ（ノズル１）の水の流出口１００への接続は、接続部材１０の固定リング１１に水の流出口１００を嵌挿し、固定リング１１の外側に固定ブッシュ１２を配置し、固定リング１１の下流側（固定リング１１と水流方向変換部材２０との間）にパッキン１３を配置し、絞り部材３０に係合させた固定ナット１４をパッキン１３の外側に配置し、固定ブッシュ１２の外周面に形成される雄ネジと固定ナット１４の内周面に形成される雌ネジとを螺合させることにより行われる。
【００３７】
ノズル１におけるノズル本体１ａの水流方向変換部材２０は、接続部材１０の下流側に配置される。
ノズル本体１ａの水流方向変換部材２０は、接続部材１０から流出する水の水流方向を変換するものである。
ノズル本体１ａの水流方向変換部材２０は、その上流側端部が開口され、下流側端部に底部を有して、有底略筒状に形成される。
【００３８】
ノズル１におけるノズル本体１ａの水流方向変換部材２０は、その上流側端部にフランジ２２が形成されて構成される。ノズル本体１ａの水流方向変換部材２０におけるフランジ２２は、側方に突出するように形成される。
ノズル本体１ａの水流方向変換部材２０は凸部２３を有する。ノズル本体１ａの水流方向変換部材２０における凸部２３は、底部の中央部から下流側に突出するように形成される。
ノズル本体１ａの水流方向変換部材２０は、その下流側部（フランジ２２よりも下流側の部分）が絞り部材３０の上流側端部の開口から絞り部材３０内に嵌挿可能に構成される。
【００３９】
ノズル１におけるノズル本体１ａの水流方向変換部材２０は、二個の貫通孔２４・２４を有する。
ノズル本体１ａの水流方向変換部材２０における貫通孔２４は、周方向に１８０度位相をずらすようにして（水流方向変換部材２０の軸心を中心に対向する位置に）、その上下中途部（上流側部と下流側部との間）にそれぞれ形成される。ノズル本体１ａの水流方向変換部材２０における貫通孔２４は、水流方向変換部材２０における中途部の外周面から内周面に（半径方向に）貫通するように、それぞれ形成される。
【００４０】
ノズル１におけるノズル本体１ａの水流方向変換部材２０は、切欠き２５を有する。
ノズル本体１ａの水流方向変換部材２０における切欠き２５は、周方向に１８０度位相をずらすようにして（水流方向変換部材２０の軸心を中心に対向する位置に）それぞれ形成される。ノズル本体１ａの水流方向変換部材２０における切欠き２５は、底部の下流側の面および中途部の外周面が切欠かれるように形成される。ノズル本体１ａの水流方向変換部材２０における切欠き２５は、その底部から、二個の貫通孔２４・２４のうち一方の貫通孔２４に亘るように形成される。
【００４１】
ノズル１におけるノズル本体１ａの絞り部材３０は、水流方向変換部材２０の下流側に配置される。
ノズル本体１ａの絞り部材３０は、その上流側端部が開口するとともに下流側端部に底部を有して、有底略筒状に形成される。
ノズル本体１ａの絞り部材３０における上流側端部には、フランジ３２が形成される。ノズル本体１ａの絞り部材３０におけるフランジ３２は、側方に突出するように形成される。
【００４２】
ノズル１におけるノズル本体１ａの絞り部材３０は、凹部３３を有する。ノズル本体１ａの絞り部材３０における凹部３３は、底部の上流側の面の中央部に形成される。ノズル１の絞り部材３０における凹部３３は、底部の上流側の面が略半球状に凹むように形成される。
【００４３】
ノズル１におけるノズル本体１ａの絞り部材３０は、複数個の絞り孔３４・３４・・・を有する。
ノズル本体１ａの絞り部材３０における絞り孔３４は、ノズル１内に流入した水の流れを絞って水の流速を増加させるものである。ノズル本体１ａの絞り部材３０の絞り孔３４（複数個の絞り孔３４）で、ノズル１の絞り部３が構成される。
ノズル本体１ａの絞り部材３０における絞り孔３４は、絞り部材３０内から絞り部材３０外に底部を貫通するように形成される。ノズル本体１ａの絞り部材３０における絞り孔３４は、上流側の開口が凹部３３に開口するように形成される。ノズル本体１ａの絞り部材３０の絞り孔３４は、周方向に６０度ずつ位相をずらして形成される（図４参照）。
ノズル本体１ａの絞り部材３０の絞り孔３４は、当該絞り孔３４におけるそれぞれの下流側の開口から流出する三本の水流がノズル１の軸心方向に平行に流出するようにそれぞれ形成される。
なお、ノズル本体１ａの絞り部材３０における絞り孔３４の数は、三個であることに限定するものではない。
【００４４】
ノズル１におけるノズル本体１ａの絞り部材３０は、切欠き３７を有する。
ノズル本体１ａの絞り部材３０における切欠き３７は、周方向に１８０度ずつ位相をずらすようにして（絞り部材３０の軸心を中心にして対向するような位置に）、それぞれ形成される。ノズル本体１ａの絞り部材３０における切欠き３７は、フランジ３２を含むその外周面の一部が上端部から下端部に亘って絞り部材３０の軸心方向に沿って切欠かれるように、それぞれ形成される。
【００４５】
ノズル１におけるノズル本体１ａの絞り部材３０は、拡散体３８を有する。
ノズル本体１ａの絞り部材３０における拡散体３８は、ノズル本体１ａにおける絞り部材３０の絞り孔３４から流出する水（または流体混入水）の水勢を弱めるとともに、当該水を拡散させるものである。
ノズル本体１ａの絞り部材３０における拡散体３８は、絞り部材３０の底部の中央部（絞り孔３４よりも中央側）から下流側に突出するように配置される。ノズル本体１ａの絞り部材３０における拡散体３８は、ノズル本体１ａにおける絞り部材３０の絞り孔３４から流出する水が当接するように配置される。
ノズル本体１ａの絞り部材３０における拡散体３８は、略円錐状に形成される。ノズル本体１ａの絞り部材３０における拡散体３８は、下流側にいくに従って末広がりのテーパ状に形成される。
ノズル本体１ａの絞り部材３０における拡散体３８は、その下流側端が絞り孔３４よりも外側に位置するように、形成される。ノズル本体１ａの絞り部材３０における拡散体３８は、その上流側の斜面が絞り部材３０の絞り孔３４から流出する水の流出方向の延長線上に位置するように、形成される。
【００４６】
ノズル１におけるノズル本体１ａの回転体４０は、絞り部材３０内に配置される。
ノズル本体１ａの回転体４０は、絞り部材３０の絞り孔３４（絞り部３）の上流側の開口の閉鎖と開放とを隣接する絞り孔３４ごとに順次行うように回転することによって、絞り孔３４（絞り部３）への水の流入の遮断を断続的に行うものである。ノズル本体１ａの回転体４０は、断続的遮断部６として構成される。
ノズル本体１ａの回転体４０は、棒状の部材の軸心方向中央部に円盤状の部材が互いの軸心を一致させて設けられたような形状に構成される。ノズル本体１ａの回転体４０における棒状部分の両端部は、それぞれ半球状に構成される。
【００４７】
ノズル１におけるノズル本体１ａの上流側筒部材５０は、接続部材１０の下流側に配置されるとともに、絞り部材３０のフランジ３２より下流側部分の外側に配置される。
ノズル本体１ａの上流側筒部材５０は、その上流側端部および下流側端部が開口する全体的に略円筒状に形成される。
ノズル本体１ａの上流側筒部材５０は、その上下中途部（上流側部と下流側部との間）から下流側端部にいくに従って次第に縮径されて、上流側端部の開口の内径が下流側端部の開口の内径よりも大きくなるように形成されて、構成される。
ノズル本体１ａの上流側筒部材５０は、その上流側部内に、絞り部材３０におけるフランジ３２よりも下流側の部分を配置可能に構成される。
【００４８】
ノズル１におけるノズル本体１ａの上流側筒部材５０は、導入孔５１を有する。
ノズル本体１ａの上流側筒部材５０の導入孔５１は、容器１０１からの流体が導入される孔である。ノズル本体１ａの上流側筒部材５０の導入孔５１は、弁部材１ｂをノズル本体１ａに取付け可能に構成される。
ノズル本体１ａの上流側筒部材５０の導入孔５１は、その上流側部の外面から内面に貫通するように形成される。
【００４９】
ノズル１におけるノズル本体１ａの下流側筒部材５５は、上流側筒部材５０の下流側に配置される。
ノズル本体１ａの下流側筒部材５５は、その上流側端部および下流側端部が開口する全体的に略円筒状に形成される。
ノズル本体１ａの下流側筒部材５５は、その上下中央部から上流側部分が上流側筒部材５０の下流側端部に嵌挿可能に形成される。
ノズル本体１ａの下流側筒部材５５は、その上下中央部から下流側部分の内径がその上流側部分の内径に比べて小さくなるように形成されて、構成される。
ノズル本体１ａの下流側筒部材５５の下流側端部の開口は、ノズル１の吐出口５として構成される。
【００５０】
そして、ノズル１におけるノズル本体１ａは、接続部材１０のパッキン１３の下流側端が水流方向変換部材２０の上流側端に当接ようにして接続部材１０と水流方向変換部材２０とが配置されて、構成される。
ノズル本体１ａの接続部材１０と水流方向変換部材２０とが配置された状態では、接続部材１０内と水流方向変換部材２０内とが連通した状態となる。
ノズル本体１ａは、接続部材１０の下流側端部の開口から流出した水が、水流方向変換部材２０の上流側端部の開口から水流方向変換部材２０内に流入するように、構成される。
【００５１】
ノズル１におけるノズル本体１ａは、その絞り部材３０内の上流側部内に、絞り部材３０の上流側端部の開口から水流方向変換部材２０におけるフランジ２２よりも下流側の部分が嵌挿されて構成される。
ノズル本体１ａの水流方向変換部材２０が絞り部材３０に嵌挿された状態では、水流方向変換部材２０の貫通孔２４および切欠き２５を介して、水流方向変換部材２０内と絞り部材３０内とが連通した状態となる。
ノズル本体１ａは、水流方向変換部材２０の上流側端部の開口から流入した水が、その貫通孔２４および切欠き２５を通って絞り部材３０内に流入して、絞り部材３０の絞り孔３４におけるそれぞれの下流側の開口から流出するように、構成される。
【００５２】
ノズル１におけるノズル本体１ａは、回転体４０がその棒状部分の軸心を傾斜させるようにして絞り部材３０内に配置されて、構成される。
ノズル本体１ａは、回転体４０が、棒状部分の一端部４１（上流側部）を他端部４２（下流側部）よりも外周側に向けて水流方向変換部材２０の凸部２３の外側に配置させるとともに、棒状部分の他端部４２を絞り部材３０の凹部３３に位置させるようにして配置されて、構成される。
ノズル本体１ａは、回転体４０が棒状部分の軸心の傾斜する向きを変えて回転可能に配置されて、構成される。
ノズル本体１ａは、棒状部分の他端部４２が絞り部材３０の凹部３３に位置した状態で棒状部分の一端部４１が絞り部材３０の内周面に沿って水流方向変換部材２０の凸部２３の周りを移動するように回転可能に回転体４０が配置されて、構成される。
【００５３】
ノズル１におけるノズル本体１ａは、上流側筒部材５０内に、上流側筒部材５０の上流側端部の開口から絞り部材３０におけるフランジ３２よりも下流側の部分が嵌挿されて構成される。前記ノズル本体１ａの上流側筒部材５０に絞り部材３０が嵌挿された状態では、上流側筒部材５０の内周面と絞り部材３０の切欠き３７が形成されていない部分の外周面とが当接した状態となるが、上流側筒部材５０の内周面と絞り部材３０の切欠き３７が形成される部分の外面との間には空間が形成される。
ノズル本体１ａは、接続部材１０の固定ナット１４の下流側端に上流側筒部材５０の上流側端を当接ようにして接続部材１０と上流側筒部材５０とが配置され、接続部材１０と上流側筒部材５０とが固定されて、構成される。
【００５４】
ノズル１におけるノズル本体１ａは、上流側筒部材５０の下流側端部内に下流側筒部材５５の上下中央部から上流側部分が嵌挿されて、構成される。
ノズル本体１ａは、その下流側筒部材５５の上下中央部から下流側部分が絞り部材３０の拡散体３８よりも下流側に位置するように、絞り部材３０と下流側筒部材５５とが配置されて、構成される。
【００５５】
ノズル１における弁部材１ｂは、ノズル１の流体導入部４の一部として構成される。
弁部材１ｂは、容器１０１（ノズル１外）からノズル１内（絞り部３の下流側部分近傍）に流体を導入するように構成されるとともに、ノズル１の流体流路を開閉可能に構成される。
弁部材１ｂは、ノズル本体１ａの上流側筒部材５０の側方から突出するように取付けられる。また、弁部材１ｂは、容器１０１に接続される。
弁部材１ｂは、図２、図３、図５、または、図６に示すように、ケース６０と、弁体６４と、操作体６６と、付勢体６９と、を有して構成される。
【００５６】
ノズル１における弁部材１ｂのケース６０は、略筒状に形成される。
弁部材１ｂのケース６０は、その軸心方向一端部（下流側部）がノズル本体１ａの上流側筒部材５０の導入孔５１に嵌挿可能に、構成される。
弁部材１ｂのケース６０は、弁体６４が着座する弁座６１を有する。弁部材１ｂのケース６０の弁座６１は、ケース６０の軸心方向の中途部の内面から内側に突出するように形成される。
弁部材１ｂのケース６０は、接続孔６２を有する。弁部材１ｂのケース６０の接続孔６２は、弁座６１よりも上流側において、その外面から内面に貫通するように形成される。
【００５７】
ノズル１における弁部材１ｂの弁体６４は、ケース６０内に配置される。
弁部材１ｂの弁体６４は、棒状の部材であり、その一端部（下流側部）がケース６０の弁座６１に着座可能に拡径され、その外面にＯリングが設けられて構成される。
弁部材１ｂの弁体６４は、貫通孔６５を有する。弁部材１ｂの弁体６４の貫通孔６５は、軸心方向に沿ってその一端から他端に貫通するように形成される。
【００５８】
ノズル１における弁部材１ｂの操作体６６は、ケース６０の弁座６１への弁体６４の着座または離座を操作するものである。
弁部材１ｂの操作体６６は、棒状の部材であり、その一端部（下流側部）がケース６０内において弁体６４の他端部（上流側部）に固定され、その他端部にフランジ６７が形成されて構成される。弁部材１ｂの操作体６６におけるフランジ６７は、側方に突出するように形成される。
弁部材１ｂの操作体６６は、ケース６０の軸心方向他端側の開口よりもケース６０の軸心方向の外側（側方）に、フランジ６７が位置するように配置される。
【００５９】
ノズル１における弁部材１ｂの操作体６６は、貫通孔６８を有する。
弁部材１ｂの操作体６６の貫通孔６８は、軸心方向に沿ってその一端（弁体６４側）から他端（フランジ６７側）に貫通するように形成される。
弁部材１ｂの操作体６６の貫通孔６８は、その他端側の開口６８ａがフランジ６７の外側の面に形成される。弁部材１ｂの操作体６６の貫通孔６８は、その他端側の開口６８ａがフランジ６７の中央部に位置するように形成される。
弁部材１ｂの操作体６６の貫通孔６８は、その他端側の開口６８ａが大人の指の腹よりも小さく（例えば、その直径が３ｍｍ以上１ｃｍ以下の程度の大きさに）開口するように形成される。
【００６０】
ノズル１における弁部材１ｂの付勢体６９は、コイルバネで構成され、操作体６６（および操作体６６に固定される弁体６４）を、ケース６０の軸心方向他端側に付勢するように構成される。
【００６１】
このように構成されるノズル１の弁部材１ｂは、弁体６４の貫通孔６５と操作体６６の貫通孔６８とが連通するように構成される。
【００６２】
また、このように構成されるノズル１の弁部材１ｂは、付勢体６９によって付勢される弁体６４がケース６０の弁座６１に着座するように構成される。このように弁部材１ｂのケース６０の弁座６１に弁体６４が着座した状態では、ケース６０内における弁座６１よりも上流側の空間と下流側の空間とが弁体６４によって閉鎖された状態となる。
弁部材１ｂは、ノズル１を操作する者が付勢体６９の付勢力に反してケース６０の軸心方向一端側に操作体６６を押込むことによって、ケース６０の弁座６１から弁体６４が離座するように構成される。このように弁部材１ｂのケース６０の弁座６１から弁体６４が離座した状態では、ケース６０内における弁座６１よりも上流側の空間と下流側の空間と連通した状態となる。
【００６３】
ノズル１は、ノズル本体１ａの上流側筒部材５０の導入孔５１に弁部材１ｂのケース６０の一端部が嵌挿されて、ノズル本体１ａと弁部材１ｂとが一体的に構成される。
このとき、ノズル１では、弁部材１ｂのケース６０の一端がノズル本体１ａの絞り部材３０の外面に当接しないように、ノズル本体１ａの上流側筒部材５０の導入孔５１に弁部材１ｂのケース６０が嵌挿される。
【００６４】
以上のように構成されるノズル１は、管部材１１０および接続管１２０を介して容器１０１に接続される。
このとき、管部材１１０の一端側の開口に嵌挿される接続管１２０が、ノズル１における弁部材１ｂのケース６０の接続孔６２に嵌挿され、管部材１１０の他端側の開口に嵌挿される接続管１２０が、容器１０１の容器本体１０２の底部に形成される接続孔１０４に嵌挿される。
【００６５】
ノズル１では、弁部材１ｂのケース６０の接続孔６２、弁部材１ｂのケース６０内、および、ノズル本体１ａの上流側筒部材５０の内面と絞り部材３０の外面との間の空間は、ノズル１の流体流路として構成される。
弁部材１ｂの弁体６４がケース６０の弁座６１に着座した状態では、ノズル１の流体流路が閉鎖された状態となる（図５参照）。
弁部材１ｂの操作体６６を押込んでケース６０の弁座６１から離座した状態では、ノズル１の流体流路が開放された状態となる（図６参照）。
このようにして、弁部材１ｂ（流体導入部４）は、ノズル１の流体流路を開閉可能に構成される。
【００６６】
ノズル１では、弁部材１ｂの操作体６６の貫通孔６８、弁部材１ｂの弁体６４の貫通孔６５、弁部材１ｂのケース６０内（ケース６０の弁座６１よりも下流側の部分）、および、ノズル本体１ａの上流側筒部材５０の内面と絞り部材３０の外面との間の空間は、ノズル１の空気導入部７として構成される。
弁部材１ｂの操作体６６の貫通孔６８の他端側の開口６８ａは、ノズル１の空気導入部７における空気の入口として構成される。
ノズル本体１ａの絞り部材３０の切欠き３７の下流側部分は、ノズル１の空気導入部７における空気の出口として構成される。
つまり、ノズル１の空気導入部７では、空気が、弁部材１ｂにおける操作体６６の貫通孔６８の他端側の開口６８ａから流入し、ノズル本体１ａにおける絞り部材３０の切欠き３７の下流側部分から流出するように構成される。
【００６７】
このように容器１０１に接続されたノズル１では、ノズル本体１ａの接続部材１０（水流入部２）からノズル本体１ａ内に流入した水は、水流方向変換部材２０内に流入する。
ノズル本体１ａの水流方向変換部材２０内に流入した水は、その貫通孔２４および切欠き２５を通り、絞り部材３０内に流入する。
ノズル本体１ａの絞り部材３０内に流入した水は、絞り部材３０の絞り孔３４（絞り部３）におけるそれぞれの下流側の開口から流出する。
このとき、ノズル本体１ａにおける絞り部材３０の絞り孔３４におけるそれぞれの下流側の開口から流出する水は、その流速が増加されて流出される。
【００６８】
そして、弁部材１ｂの弁体６４がケース６０の弁座６１に着座してノズル１の流体流路が閉鎖された状態では、容器１０１内の流体は、ノズル本体１ａにおける絞り部材３０の絞り孔３４から流出する水の水流に吸引されず、絞り部材３０の絞り孔３４におけるそれぞれの下流側の開口から流出する水に混入されない。
弁部材１ｂの操作体６６を押込んでケース６０の弁座６１から離座してノズル１の流体流路が開放された状態では、容器１０１内の流体は、ノズル本体１ａにおける絞り部材３０の絞り孔３４から流出する水の水流によって吸引されて、絞り部材３０の絞り孔３４におけるそれぞれの下流側の開口から流出する水に混入される。
【００６９】
以上のように、ノズル１は、その流体流路を開閉可能に構成される弁部材１ｂ（流体導入部４）を具備する。そして、ノズル１では、弁部材１ｂ（流体導入部４）において流体流路を開閉することによって水に流体を混入させる時機を決定することができる。
つまり、ノズル１では、容器１０１をノズル１から取外す作業を要さずに、水に流体を混入させないようにすることができ、また、前記取外した容器１０１をノズル１に取付ける作業を要さずに、水に流体を混入させることができる。
したがって、ノズル１によれば、水に、流体を混入させ、また、流体を混入させるときの繁雑さを解消することができる。
【００７０】
また、ノズル１では、ノズル本体１ａにおける絞り部材３０の絞り孔３４から流出する水の水流によって空気導入部７における空気の出口（ノズル本体１ａの絞り部材３０の切欠き３７の下流側部分）から空気が吸引されて、当該流出する水に気泡が混入される。
このようにして、ノズル１は、ノズル１内に空気を導入させて流体が混入されない水、または、流体が混入された流体混入水に、気泡が混入するように構成される。
そして、ノズル１は、気泡が混入された水または流体混入水を、ノズル本体１ａにおける下流側筒部材５５の下流側端部の開口（吐出口５）から吐出する。
空気導入部７を具備するノズル１では、気泡が混入されない水または流体混入水よりも、水または流体混入水の洗浄効果を向上させることができる。
【００７１】
また、ノズル１は、空気導入部７と流体流路とが、一部（ノズル本体１ａの上流側筒部材５０の内面と絞り部材３０の外面との間の空間）で共通するように構成される。
このため、ノズル１では、流体流路が開放された状態で、空気導入部７における空気の入口（弁部材１ｂの操作体６６の貫通孔６８の他端側の開口６８ａ）を閉鎖すると、ノズル本体１ａにおける絞り部材３０の絞り孔３４から流出する水の水流に吸引される流体の量が増加し、当該水に混入する流体の量を増加させることができる。
このように、ノズル１では、空気導入部７における空気の入口を閉鎖または開放することによって、ノズル本体１ａにおける絞り部材３０の絞り孔３４から流出する水に混入する流体の量を調節することができる。
【００７２】
ノズル１では、空気導入部７における空気の入口（操作体６６における貫通孔６８の他端側の開口６８ａ）が、弁部材１ｂの操作体６６におけるフランジ６７の外側の面に形成される。
このため、ノズル１では、空気導入部７における空気の入口を（例えば指で）閉鎖した状態で、流体流路を開放する動作（操作体６６を押込む動作）を、容易に行うことができる。
【００７３】
ノズル１では、空気導入部７における空気の入口（操作体６６における貫通孔６８の他端側の開口６８ａ）が、弁部材１ｂの操作体６６におけるフランジ６７の中央部に位置するように形成される。
このため、ノズル１では、弁部材１ｂの操作体６６におけるフランジ６７の縁部に（例えば、指で）触れることにより、空気導入部７における空気の入口に触れずに、操作体６６を押込む動作を行うことができる。
したがって、ノズル１によれば、空気の入口を開放した状態で、流体流路を開放する動作（操作体６６を押込む動作）を、容易に行うことができる。
【００７４】
ノズル１では、ノズル本体１ａにおける絞り部材３０が拡散体３８を有するため、ノズル１の軸心方向に絞り部材３０の絞り孔３４（絞り部３）から流出する水（または混合流体）は、絞り部材３０の拡散体３８に当接することとなる。
そして、ノズル１では、絞り部材３０における拡散体３８に、絞り部材３０の絞り孔３４から流出する水が当接することによって当該水の水勢が弱められることとなる。
もっとも、ノズル１では、絞り部材３０の絞り孔３４から流出した直後の水（水の流出口１００から流入した水）の水勢は弱められておらず、絞り部材３０の絞り孔３４から下流側へ流出する水の空気の吸引力は低下しない。
このため、絞り部材３０の絞り孔３４から流出した水（水勢が弱められていない水）の水流によって確実に流体を吸引させて、当該水に確実に流体を混入させることができる。また、ノズル１では、絞り部材３０の絞り孔３４から流出した水（水勢が弱められていない水）の水流によって確実に空気を吸引させて、当該水に確実に空気を混入させることができる。
以上のようにして、ノズル１では、水に混入される流体の量、および、水に混入される気泡の量が減少することを防止しつつ、水勢を弱めて流体混入水を吐出することができ、流体混入水が吐出される対象が損傷することを防止することができる。
【００７５】
また、ノズル１は、ノズル本体１ａにおける下流側筒部材５５の上下中央部から下流側部分が絞り部材３０の拡散体３８よりも下流側に位置するように、絞り部材３０と下流側筒部材５５とが配置されて、構成される。ノズル本体１ａの下流側筒部材５５は、前記絞り部材３０の拡散体３８に当接して拡散した水（流体混入水）が、ノズル本体１ａの内周面（内面）に当接するように配置される。
このようにして、ノズル１は、ノズル本体１ａにおける絞り部材３０の拡散体３８に当接して拡散した水（流体混入水）が、下流側筒部材５５の内周面（内面）に当接して下流側筒部材５５の下流側端部の開口（ノズル１の吐出口５）から吐出されるように、構成される。
【００７６】
このため、ノズル１では、ノズル本体１ａにおける絞り部材３０の拡散体３８に当接して拡散した水（流体混入水）を、その吐出範囲を広げた状態で洗浄対象に向けて吐出することができる。
したがって、ノズル１によれば、水に混入される流体の量、および、水に混入される気泡の量が減少することを防止しつつ、水勢を弱めるとともに吐出範囲が広がった流体混入水を、確実に対象に流体混入水を吐出することができる。
【００７７】
また、ノズル１では、ノズル本体１ａの水流方向変換部材２０の貫通孔２４と切欠き２５とを通った水流は、その水流方向がノズル本体１ａ内への水の流入方向（ノズル本体１ａの軸方向）から周方向（反時計周り）となり、螺旋状の水流となって絞り部材３０内に流入する。
ノズル本体１ａの回転体４０は、絞り部材３０内において、前記水流方向変換部材２０によって水流方向が変換されて螺旋状の水流を回転体４０の円盤状部分で受けることによって、回転するように構成される。
ノズル本体１ａでは、回転体４０が回転して、その棒状部分の他端部４２が絞り部材３０における絞り孔３４の上流側の開口上に位置したときに、当該棒状部分の他端部４２で当該絞り部材３０における絞り孔３４の上流側の開口を閉鎖する。
ノズル本体１ａでは、回転体４０がさらに回転して、前記絞り部材３０の絞り孔３４の上流側の開口を通過したときに、当該絞り孔３４の上流側の開口を開放する。
【００７８】
ノズル１におけるノズル本体１ａは、回転体４０が回転することによって、回転体４０の棒状部分の他端部４２で絞り部材３０における絞り孔３４の上流側の開口の閉鎖と開放とを隣接する絞り孔３４ごとに順次行うように構成される。
このようにして、ノズル本体１ａは、回転体４０が回転することによって、絞り部材３０における絞り孔３４への水の流入の遮断を断続的に行うように構成される。
【００７９】
ノズル１におけるノズル本体１ａは、回転体４０が回転することによって、絞り部材３０における複数個の絞り孔３４（絞り部３）のうち水が流入する絞り孔３４を断続的に変更して、絞り孔３４の下流側の開口から脈動するような水を流出しするように構成される。
そして、ノズル本体１ａは、前記脈動するような水を吐出口５から吐出するように構成される。
また、ノズル本体１ａは、前記脈動するような水に、流体導入部４から導入された流体を混入して、前記脈動するような水を脈動するような混合流体としてこれを吐出するように構成される。
また、ノズル本体１ａは、前記脈動するような水に、空気導入部７から導入された空気を混入して、これを吐出するように構成される。
【００８０】
このようにして、ノズル１では、これから脈動するような水または流体混入水が吐出された対象物は、水または流体混入水の水勢に加えて、水または流体混入水が脈動することによって生じる振動によって、洗浄されることとなる。
このため、ノズル１では、脈動しない水または流体混入水よりも、水または流体混入水の洗浄効果を向上させることができる。
【００８１】
なお、図７に示すように、ノズル１における弁部材１ｂのケース６０は、ノズル本体１ａの上流側筒部材５０のから側方に突出するとともに上方に湾曲するような形状（側面視略Ｌ字状）に形成されてもよい。
このとき、ノズル１の弁部材１ｂの操作体６６は、そのフランジ６７がケース６０よりも上方に位置するように配置される。
ノズル１は、管部材１１０および接続管１２０を介して容器１０１に接続される。
このとき、管部材１１０の一端側に連接管１２１を介して接続される接続管１２０が、ノズル１における弁部材１ｂのケース６０の接続孔６２に嵌挿され、管部材１１０の他端側の一部が、容器１０１の容器本体１０２の上方から容器本体１０２内に配置される。
【００８２】
また、図８に示すように、ノズル１におけるノズル本体１ａの接続部材１０は、ホースで構成される水の流出口１００に接続されるように構成してもよい。
このとき、ノズル本体１ａの接続部材１０は、その上流側端部および下流側端部が開口する略円筒状に形成される。
ノズル本体１ａは、接続部材１０の下流側端が、水流方向変換部材２０の上流側端および上流側筒部材５０の上流側端に当接するようにして、接続部材１０と水流方向変換部材２０と上流側筒部材５０とが配置されて、構成される。ノズル本体１ａは、接続部材１０と上流側筒部材５０とが固定されて構成される。
【００８３】
ノズル本体１ａの上流側筒部材５０は、その導入孔５１の周囲から側方に突出するように、弁部材１ｂを支持する支持壁５２が設けられて構成される。弁部材１ｂのケース６０は、その軸心方向一端部（下流側部）がノズル本体１ａの上流側筒部材５０の支持壁５２に嵌挿可能に、構成される。
ノズル１は、ノズル本体１ａの上流側筒部材５０の支持壁５２に弁部材１ｂのケース６０の一端部が嵌挿される。
【００８４】
次に、本発明の第二実施形態に係るノズル１について、図９乃至図１１を用いて説明する。
なお、第二実施形態に係るノズル１の説明は、第一実施形態に係るノズル１と同様の構成の部分については適宜省略し、第一実施形態に係るノズル１の構成と異なる部分を中心に説明する。
【００８５】
ノズル１は、図９に示すように、ノズル１と容器１０１とが一体的に構成される。
このとき、例えば、容器１０１は、容器本体１０２と蓋体１０３とを備えて構成される。容器１０１は、容器本体１０２は、その底部から下方に突出する突出部１０５を有する。
そして、ノズル１は、容器１０１がノズル１に直接接続されて構成される。ノズル１は、容器１０１の容器本体１０２の突出部１０５が弁部材１ｂのケース６０の接続孔６２に嵌挿されて、容器１０１と接続される。
【００８６】
なお、ノズル１におけるノズル本体１ａの上流側筒部材５０は、その導入孔５１の周囲から側方に突出するように、支持壁５２が設けられて構成される。
弁部材１ｂのケース６０は、その軸心方向一端部（下流側部）がノズル本体１ａの上流側筒部材５０の支持壁５２に嵌挿可能に、構成される。
ノズル１は、ノズル本体１ａの上流側筒部材５０の支持壁５２に弁部材１ｂのケース６０の一端部が嵌挿されて、ノズル１（ノズル本体１ａ）と弁部材１ｂとが一体的に構成される。
ノズル１では、弁部材１ｂのケース６０内、ノズル本体１ａの上流側筒部材５０の支持壁５２内、および、ノズル本体１ａの上流側筒部材５０の内面と絞り部材３０の外面との間の空間が、ノズル１の流体流路として構成される。
【００８７】
このように構成することにより、ノズル１に容器１０１を接続する部品点数を低減して、ノズル１をコンパクトに構成することができる。
【００８８】
また、ノズル１は、図１０に示すように、管部材１１０を介して容器１０１と一体的に構成してもよい。
このとき、例えば、容器１０１の接続孔１０４は、蓋体１０３に形成される。
そして、ノズル１は、管部材１１０の一端側がノズル１における弁部材１ｂのケース６０の接続孔６２に嵌挿されるとともに、管部材１１０の他端側が容器１０１の蓋体１０３の接続孔１０４から容器１０１内に嵌挿されて、管部材１１０を介して容器１０１と一体的に構成される。
【００８９】
また、ノズル１は、図１１に示すように、ノズル１におけるノズル本体１ａの接続部材１０がホースで構成される水の流出口１００に接続されるように構成してもよい。
このとき、例えば、容器１０１の接続孔１０４は、容器本体１０２の側部における底部近傍に形成される。
そして、ノズル１は、接続管１２０の一端側がノズル１における弁部材１ｂのケース６０の接続孔６２に嵌挿されるとともに、接続管１２０の他端側が容器１０１の容器本体１０２の接続孔１０４に嵌挿されて、接続管１２０を介して容器１０１と一体的に構成される。
【００９０】
次に、本発明の第三実施形態に係るノズル１について、図１２乃至図１８を用いて説明する。
なお、第三実施形態に係るノズル１の説明は、第一実施形態または第二実施形態に係るノズル１と同様の構成の部分については適宜省略し、第一実施形態または第二実施形態に係るノズル１の構成と異なる部分を中心に説明する。
【００９１】
ノズル１は、図１２または図１３に示すように、空気導入部７における空気の入口を複数個（二個）備える。
ノズル１におけるノズル本体１ａの上流側筒部材５０は、貫通孔５３を有する。
ノズル本体１ａの上流側筒部材５０の貫通孔５３は、その上流側部の外面から内面に貫通するように形成される。
ノズル本体１ａの上流側筒部材５０の貫通孔５３は、その導入孔５１と周方向に１８０度位相をずらすようにして（上流側筒部材５０の軸心を中心に対向する位置に）形成される。
ノズル本体１ａの上流側筒部材５０の貫通孔５３は、その外側の開口５３ａが大人の指の腹よりも小さく（例えば、その直径が３ｍｍ以上１ｃｍ以下の程度の大きさに）開口するように形成される。
【００９２】
ノズル１では、弁部材１ｂの操作体６６の貫通孔６８、弁部材１ｂの弁体６４の貫通孔６５、弁部材１ｂのケース６０内（ケース６０の弁座６１よりも下流側の部分）、および、ノズル本体１ａの上流側筒部材５０の内面と絞り部材３０の外面との間の空間の他に、ノズル本体１ａの上流側筒部材５０の貫通孔５３、および、ノズル本体１ａの上流側筒部材５０の内面と絞り部材３０の外面との間の空間が、ノズル１の空気導入部７として構成される。
ノズル１は、前記二個の空気導入部７が、一部（ノズル本体１ａの上流側筒部材５０の内面と絞り部材３０の外面との間の空間）で共通するように構成される。
ノズル本体１ａにおける上流側筒部材５０の貫通孔５３の外側の開口５３ａは、弁部材１ｂにおける操作体６６の貫通孔６８の他端側の開口６８ａの他に、ノズル１の空気導入部７における空気の入口として構成される。
【００９３】
このため、ノズル１では、流体流路が開放された状態で、空気導入部７における空気の入口（ノズル本体１ａにおける上流側筒部材５０の貫通孔５３の外側の開口５３ａ、または、弁部材１ｂにおける操作体６６の貫通孔６８の他端側の開口６８ａ）を閉鎖すると、ノズル本体１ａにおける絞り部材３０の絞り孔３４から流出する水の水流に吸引される流体の量が増加し、当該水に混入する流体の量を増加させることができる。
そして、ノズル１では、二個の空気導入部７における空気の入口を閉鎖または開放することによって、ノズル本体１ａにおける絞り部材３０の絞り孔３４から流出する水に混入する流体の量の調節を微細に行うことができる。
【００９４】
また、ノズル１は、二個の空気導入部７における空気の入口（ノズル本体１ａにおける上流側筒部材５０の貫通孔５３の外側の開口５３ａと、弁部材１ｂにおける操作体６６の貫通孔６８の他端側の開口６８ａ）が、周方向に１８０度位相をずらすようにして（上流側筒部材５０の軸心を中心に対向する位置に）それぞれ配置されて、構成される。
このため、ノズル１によれば、二個の空気導入部７における空気の入口を（例えば親指と人差し指で）閉鎖した状態で、流体流路を開放する動作（操作体６６を押込む動作）を、容易に行うことができる。また、ノズル１によれば、ノズル本体１ａにおける上流側筒部材５０の貫通孔５３の外側の開口５３ａ（空気導入部７における空気の入口）を閉鎖した状態で、流体流路を開放する動作（操作体６６を押込む動作）を、容易に行うことができる。
【００９５】
ノズル１は、図１４または図１５に示すように、空気導入量調節弁７０を備えて構成してもよい。
空気導入量調節弁７０は、空気導入部７における空気の入口からノズル１内に導入される空気の量を調節するための弁である。
空気導入量調節弁７０は、ノズル本体１ａに設けられる。空気導入量調節弁７０は、ノズル本体１ａにおける上流側筒部材５０から側方に突出するようにして配置される。
【００９６】
ノズル１における空気導入量調節弁７０は、内壁部材７１と、外壁部材７３と、を有して構成される。
【００９７】
ノズル１における空気導入量調節弁７０の内壁部材７１は、略円筒状に形成されるとともに、外面から内面に貫通するように形成される貫通孔７２を有して構成される。
空気導入量調節弁７０の内壁部材７１は、一端側の開口部が、ノズル本体１ａにおける上流側筒部材５０の貫通孔５３に嵌挿されて、上流側筒部材５０から側方に突出するようにして配置される。
【００９８】
ノズル１における空気導入量調節弁７０の外壁部材７３は、内壁部材７１を覆うように内壁部材７１の外側に配置される。
空気導入量調節弁７０の外壁部材７３は、略円有底筒状に形成されるとともに、外面から内面に貫通するように形成される貫通孔７４を有して構成される。
空気導入量調節弁７０の外壁部材７３は、その内径が、内壁部材７１の外径と略同一に形成される。
空気導入量調節弁７０の外壁部材７３は、その開口側（底部と逆側）から内壁部材７１を嵌挿するようにして、上流側筒部材５０から側方に突出するようにして配置される。
空気導入量調節弁７０の外壁部材７３は、このように配置された状態で、その貫通孔７４が内壁部材７１の貫通孔７２の位置と一致するように構成される。
空気導入量調節弁７０の外壁部材７３は、このように配置された状態で、その突出する方向に対して周方向に回転可能に構成される。
【００９９】
ノズル１は、空気導入量調節弁７０の外壁部材７３を回転させて、外壁部材７３の貫通孔７４と内壁部材７１の貫通孔７２とを重なるようにすることにより、外壁部材７３の貫通孔７４と内壁部材７１の貫通孔７２とが連通するように、構成される。
ノズル１は、空気導入量調節弁７０の内部が、ノズル本体１ａにおける上流側筒部材５０の貫通孔５３を介して、上流側筒部材５０の内面と絞り部材３０の外面との間の空間に連通するように、構成される。
【０１００】
このため、ノズル１では、空気導入量調節弁７０の外壁部材７３を回転させて、外壁部材７３の貫通孔７４と内壁部材７１の貫通孔７２とが連通した状態では、当該外壁部材７３の貫通孔７４および内壁部材７１の貫通孔７２を介して、空気導入量調節弁７０内に空気が導入されることとなる（図１５参照）。ノズル１では、前記空気導入量調節弁７０内に導入された空気が、ノズル本体１ａにおける上流側筒部材５０の貫通孔５３の外側の開口５３ａ（空気導入部７における空気の入口）から、ノズル１内に導入されることとなる。
【０１０１】
そして、ノズル１は、空気導入量調節弁７０の外壁部材７３を回転させて、外壁部材７３の貫通孔７４と内壁部材７１の貫通孔７２とが重なる部分の大きさを大きくまたは小さくできるように、構成される（図１５参照）。ノズル１は、外壁部材７３の貫通孔７４と内壁部材７１の貫通孔７２とが重なる部分の大きさを大きくして空気導入量調節弁７０内に導入される空気の量を増加させ、外壁部材７３の貫通孔７４と内壁部材７１の貫通孔７２とが重なる部分の大きさを小さくして空気導入量調節弁７０内に導入される空気の量を減少するように構成される。
【０１０２】
このように、ノズル１では、空気導入量調節弁７０の外壁部材７３の貫通孔７４と内壁部材７１の貫通孔７２とが重なる部分の大きさを大きくまたは小さくして、当該外壁部材７３の貫通孔７４および内壁部材７１の貫通孔７２を介して空気導入量調節弁７０内に導入される空気の量を増減させることができる。
つまり、ノズル１では、空気導入量調節弁７０の外壁部材７３の貫通孔７４と内壁部材７１の貫通孔７２とが重なる部分の大きさを大きくまたは小さくして、ノズル本体１ａにおける上流側筒部材５０の貫通孔５３の外側の開口５３ａ（空気導入部７における空気の入口）から、ノズル１内に導入される空気の量を増減させることができる。
したがって、ノズル１によれば、空気導入量調節弁７０によって、空気導入部７における空気の入口（ノズル本体１ａにおける上流側筒部材５０の貫通孔５３の外側の開口５３ａ）からノズル１内に導入される空気の量の調節を微細に行うことができる。
【０１０３】
ノズル１における空気導入量調節弁７０は、図１６乃至図１８に示すように、雌ネジ部材７５と、雄ネジ部材７７と、を有して構成してもよい。
【０１０４】
ノズル１における空気導入量調節弁７０の雌ネジ部材７５は、略円筒状に形成されて構成される。空気導入量調節弁７０の雌ネジ部材７５は、その軸心方向の中途部の内面から内側に突出するように形成される便座を有して構成される。
空気導入量調節弁７０の雌ネジ部材７５は、一端側の開口部が、ノズル本体１ａにおける上流側筒部材５０の貫通孔５３に嵌挿されて、上流側筒部材５０から側方に突出するようにして配置される。
空気導入量調節弁７０の雌ネジ部材７５は、その弁座７６よりも他端側の内面に雌ネジが形成されて構成される。
【０１０５】
ノズル１における空気導入量調節弁７０の雄ネジ部材７７は、略円有底筒状に形成されて構成される。空気導入量調節弁７０の雄ネジ部材７７の底部側（開口側と逆側）の外面は、雌ネジ部材７５の弁座７６に着座可能な弁体７８として構成される。
空気導入量調節弁７０の雄ネジ部材７７は、弁座７６の開口側近傍に、外面から内面に貫通するように形成される貫通孔７９を有して構成される。
空気導入量調節弁７０の雄ネジ部材７７は、その外面に雄ネジが形成されて、雌ネジ部材７５の雌ネジに螺合可能に構成される。
空気導入量調節弁７０の雄ネジ部材７７は、雌ネジ部材７５に螺合されることにより、ノズル本体１ａにおける上流側筒部材５０から側方に突出するようにして配置される。
【０１０６】
ノズル１は、空気導入量調節弁７０の雄ネジ部材７７の弁体７８が雌ネジ部材７５の弁座７６に着座していない状態では、雄ネジ部材７７の貫通孔７９を介して、雌ネジ部材７５内と雄ネジ部材７７内と連通するように、構成される（図１７参照）。
ノズル１は、空気導入量調節弁７０の雄ネジ部材７７の弁体７８が雌ネジ部材７５の弁座７６に着座していない状態では、空気導入量調節弁７０内（雌ネジ部材７５内および雄ネジ部材７７内）が、ノズル本体１ａにおける上流側筒部材５０の貫通孔５３を介して、上流側筒部材５０の内面と絞り部材３０の外面との間の空間に連通するように、構成される。
【０１０７】
ノズル１における空気導入量調節弁７０の雌ネジ部材７５内と雄ネジ部材７７内と連通した状態では、雄ネジ部材７７の開口（底部と逆側）を介して、空気導入量調節弁７０内に空気が導入されることとなる。そして、ノズル１では、前記空気導入量調節弁７０内に導入された空気が、ノズル本体１ａにおける上流側筒部材５０の貫通孔５３の外側の開口５３ａ（空気導入部７における空気の入口）から、ノズル１内に導入されることとなる。
【０１０８】
ノズル１は、空気導入量調節弁７０の雄ネジ部材７７を雌ネジ部に螺合させていき、雄ネジ部材７７の弁体７８が雌ネジ部材７５の弁座７６に着座した状態では、雌ネジ部と雄ネジ部内とが連通しないように構成される（図１８参照）。
ノズル１における空気導入量調節弁７０の雌ネジ部材７５内と雄ネジ部材７７内と連通しない状態では、空気導入量調節弁７０内に空気が導入されず、ノズル１内に空気が導入されることとなる。
【０１０９】
そして、ノズル１は、空気導入量調節弁７０の雄ネジ部材７７を雌ネジ部材７５に螺合させて、雄ネジ部材７７の弁体７８と雌ネジ部材７５の弁座７６との間隔を広くまたは狭くできるように、構成される。ノズル１は、雄ネジ部材７７の弁体７８と雌ネジ部材７５の弁座７６との間隔を広くして空気導入量調節弁７０内に導入される空気の量を増加させ、雄ネジ部材７７の弁体７８と雌ネジ部材７５の弁座７６との間隔を狭くして空気導入量調節弁７０内に導入される空気の量を減少するように構成される。
【０１１０】
このように、ノズル１では、空気導入量調節弁７０の雄ネジ部材７７の弁体７８と雌ネジ部材７５の弁座７６との間隔を広くまたは狭くして、空気導入量調節弁７０内に導入される空気の量を増減させることができる。
つまり、ノズル１では、空気導入量調節弁７０の雄ネジ部材７７の弁体７８と雌ネジ部材７５の弁座７６との間隔を広くまたは狭くして、ノズル本体１ａにおける上流側筒部材５０の貫通孔５３の外側の開口５３ａ（空気導入部７における空気の入口）から、ノズル１内に導入される空気の量を増減させることができる。
したがって、ノズル１によれば、空気導入量調節弁７０によって、空気導入部７における空気の入口（ノズル本体１ａにおける上流側筒部材５０の貫通孔５３の外側の開口５３ａ）からノズル１内に導入される空気の量の調節を微細に行うことができる。
【０１１１】
次に、本発明の第四実施形態に係るノズル１について、図１９を用いて説明する。
なお、第四実施形態に係るノズル１の説明は、第一実施形態乃至第三実施形態に係るノズル１と同様の構成の部分については適宜省略し、第一実施形態乃至第三実施形態に係るノズル１の構成と異なる部分を中心に説明する。
【０１１２】
ノズル１は、図１９に示すように、空気導入量調節弁７０を複数個（二個）備える。
ノズル１では、空気導入量調節弁７０が、上流側空気導入量調節弁８０と、下流側空気導入量調節弁９０と、で構成される。
ノズル１は、ノズル本体１ａと容器１０１との間に、空気導入量調節弁７０が配置されて構成される。ノズル１の空気導入量調節弁７０は、上流側空気導入量調節弁８０と下流側空気導入量調節弁９０とで構成される。
ノズル１では、弁部材１ｂのケース６０の接続孔６２が、空気導入量調節弁７０からノズル１内に空気が導入される空気の入口の開口（空気導入部７における空気の入口）として構成される。
【０１１３】
ノズル１における下流側空気導入量調節弁９０は、下流側内壁部材９１と、下流側外壁部材９３と、を有して構成される。
【０１１４】
ノズル１における下流側空気導入量調節弁９０の下流側内壁部材９１は、略円筒状に形成されるとともに、その上部において外面から内面に貫通するように形成される貫通孔９２と、その下部において外面から内面に貫通するように形成される接続孔９５と、を有して構成される。
【０１１５】
ノズル１における下流側空気導入量調節弁９０の下流側外壁部材９３は、下流側内壁部材９１を覆うように下流側内壁部材９１の外側に配置される。
下流側空気導入量調節弁９０の下流側外壁部材９３は、略円有底筒状に形成されるとともに、外面から内面に貫通するように形成される貫通孔９４を有して構成される。
下流側空気導入量調節弁９０の下流側外壁部材９３は、その内径が、下流側内壁部材９１の外径と略同一に形成される。
下流側空気導入量調節弁９０の下流側外壁部材９３は、その開口側（底部と逆側）から下流側内壁部材９１を嵌挿するようにして配置される。
下流側空気導入量調節弁９０の下流側外壁部材９３は、このように配置された状態で、その貫通孔９４が下流側内壁部材９１の貫通孔９２の位置と一致するように構成される。
下流側空気導入量調節弁９０の下流側外壁部材９３は、このように配置された状態で、周方向に回転可能に構成される。
【０１１６】
ノズル１の下流側空気導入量調節弁９０は、下流側外壁部材９３を回転させて、下流側外壁部材９３の貫通孔９４と下流側内壁部材９１の貫通孔９２とを重なるようにすることにより、下流側外壁部材９３の貫通孔９４と下流側内壁部材９１の貫通孔９２とが連通するように、構成される。
【０１１７】
ノズル１では、下流側管部材１１１の一端側の開口に嵌挿される接続管１２０が弁部材１ｂのケース６０の接続孔６２に嵌挿され、下流側管部材１１１の他端側の開口部が、下流側空気導入量調節弁９０における下流側内壁部材９１の下方の開口に嵌挿される。
このようにして、ノズル１は、下流側空気導入量調節弁９０内が、下流側管部材１１１、接続管１２０、および、弁部材１ｂのケース６０内を介して、上流側筒部材５０の内面と絞り部材３０の外面との間の空間に連通するように構成される。
【０１１８】
ノズル１における上流側空気導入量調節弁８０は、上流側内壁部材８１と、上流側外壁部材８４と、を有して構成される。
【０１１９】
ノズル１における上流側空気導入量調節弁８０の上流側内壁部材８１は、略円筒状に形成されるとともに、外面から内面に貫通するように形成される貫通孔８２を有して構成される。
【０１２０】
ノズル１における上流側空気導入量調節弁８０の上流側外壁部材８４は、上流側内壁部材８１を覆うように上流側内壁部材８１の外側に配置される。
上流側空気導入量調節弁８０の上流側外壁部材８４は、略円有底筒状に形成されるとともに、外面から内面に貫通するように形成される貫通孔８４を有して構成される。
上流側空気導入量調節弁８０の上流側外壁部材８４は、その内径が、上流側内壁部材８１の外径と略同一に形成される。
上流側空気導入量調節弁８０の上流側外壁部材８４は、その開口側（底部と逆側）から上流側内壁部材８１を嵌挿するようにして配置される。
上流側空気導入量調節弁８０の上流側外壁部材８４は、このように配置された状態で、その貫通孔８４が上流側内壁部材８１の貫通孔８２の位置と一致するように構成される。
上流側空気導入量調節弁８０の上流側外壁部材８４は、このように配置された状態で、周方向に回転可能に構成される。
【０１２１】
ノズル１の上流側空気導入量調節弁８０は、上流側外壁部材８４を回転させて、上流側外壁部材８４の貫通孔８４と上流側内壁部材８１の貫通孔８２とを重なるようにすることにより、上流側外壁部材８４の貫通孔８４と上流側内壁部材８１の貫通孔８２とが連通するように、構成される。
【０１２２】
ノズル１では、上流側空気導入量調節弁８０における上流側内壁部材８１が、上流側管部材１１２の一端側（上方側）の開口部に、互いの内部が連通するように設けられる。ノズル１では、上流側管部材１１２の他端側（下方側）の開口部が、容器１０１の容器本体１０２の上方から容器本体１０２内に配置される。
【０１２３】
上流側管部材１１２は、その中途から分岐する分岐部を有して構成される。
そして、ノズル１では、上流側管部材１１２の分岐部の開口部が、下流側空気導入量調節弁９０の下流側内壁部材９１の接続孔９５に嵌挿される。
このようにして、ノズル１は、上流側空気導入量調節弁８０内が、上流側管部材１１２を介して容器１０１内および上流側空気導入量調節弁８０内に連通し、上流側筒部材５０の内面と絞り部材３０の外面との間の空間に連通するように構成される。
【０１２４】
このため、ノズル１では、下流側空気導入量調節弁９０の下流側外壁部材９３を回転させて、下流側外壁部材９３の貫通孔９４と下流側内壁部材９１の貫通孔９２とが連通した状態では、当該下流側外壁部材９３の貫通孔９４および下流側内壁部材９１の貫通孔９２を介して、下流側空気導入量調節弁９０内に空気が導入されることとなる。ノズル１では、前記下流側空気導入量調節弁９０内に導入された空気が、弁部材１ｂのケース６０の接続孔６２（空気導入部７における空気の入口）から、ノズル１内に導入されることとなる。
また、ノズル１では、上流側空気導入量調節弁８０の上流側外壁部材８４を回転させて、上流側外壁部材８４の貫通孔８４と上流側内壁部材８１の貫通孔８２とが連通した状態では、当該上流側外壁部材８４の貫通孔８４および上流側内壁部材８１の貫通孔８２を介して、上流側空気導入量調節弁８０内に空気が導入されることとなる。ノズル１では、前記上流側空気導入量調節弁８０内に導入された空気が、弁部材１ｂのケース６０の接続孔６２（空気導入部７における空気の入口）から、ノズル１内に導入されることとなる。
【０１２５】
そして、ノズル１は、下流側空気導入量調節弁９０の下流側外壁部材９３を回転させて、下流側外壁部材９３の貫通孔９４と下流側内壁部材９１の貫通孔９２とが重なる部分の大きさを大きくまたは小さくできるように、構成される。ノズル１は、下流側外壁部材９３の貫通孔９４と下流側内壁部材９１の貫通孔９２とが重なる部分の大きさを大きくして下流側空気導入量調節弁９０内に導入される空気の量を増加させ、下流側外壁部材９３の貫通孔９４と下流側内壁部材９１の貫通孔９２とが重なる部分の大きさを小さくして下流側空気導入量調節弁９０内に導入される空気の量を減少するように構成される。
ノズル１は、上流側空気導入量調節弁８０の上流側外壁部材８４を回転させて、上流側外壁部材８４の貫通孔８４と上流側内壁部材８１の貫通孔８２とが重なる部分の大きさを大きくまたは小さくできるように、構成される。ノズル１は、上流側外壁部材８４の貫通孔８４と上流側内壁部材８１の貫通孔８２とが重なる部分の大きさを大きくして上流側空気導入量調節弁８０内に導入される空気の量を増加させ、上流側外壁部材８４の貫通孔８４と上流側内壁部材８１の貫通孔８２とが重なる部分の大きさを小さくして上流側空気導入量調節弁８０内に導入される空気の量を減少するように構成される。
【０１２６】
このように、ノズル１では、下流側空気導入量調節弁９０の下流側外壁部材９３の貫通孔９４と下流側内壁部材９１の貫通孔９２とが重なる部分の大きさを大きくまたは小さくして、当該下流側外壁部材９３の貫通孔９４および下流側内壁部材９１の貫通孔９２を介して下流側空気導入量調節弁９０内に導入される空気の量を増減させることができる。
つまり、ノズル１では、下流側空気導入量調節弁９０の下流側外壁部材９３の貫通孔９４と下流側内壁部材９１の貫通孔９２とが重なる部分の大きさを大きくまたは小さくして、弁部材１ｂのケース６０の接続孔６２（空気導入部７における空気の入口）から、ノズル１内に導入される空気の量を増減させることができる。
また、ノズル１では、上流側空気導入量調節弁８０の上流側外壁部材８４の貫通孔８４と上流側内壁部材８１の貫通孔８２とが重なる部分の大きさを大きくまたは小さくして、当該上流側外壁部材８４の貫通孔８４および上流側内壁部材８１の貫通孔８２を介して上流側空気導入量調節弁８０内に導入される空気の量を増減させることができる。
つまり、ノズル１では、上流側空気導入量調節弁８０の上流側外壁部材８４の貫通孔８４と上流側内壁部材８１の貫通孔８２とが重なる部分の大きさを大きくまたは小さくして、弁部材１ｂのケース６０の接続孔６２（空気導入部７における空気の入口）から、ノズル１内に導入される空気の量を増減させることができる。
したがって、ノズル１によれば、上流側空気導入量調節弁８０または下流側空気導入量調節弁９０によって、空気導入部７における空気の入口（弁部材１ｂのケース６０の接続孔６２）からノズル１内に導入される空気の量の調節を微細に行うことができる。
【０１２７】
次に、本発明の第五実施形態に係るノズル１について、図２０乃至図２２を用いて説明する。
なお、第五実施形態に係るノズル１の説明は、第一実施形態乃至第四実施形態に係るノズル１と同様の構成の部分については適宜省略し、第一実施形態乃至第四実施形態に係るノズル１の構成と異なる部分を中心に説明する。
【０１２８】
ノズル１は、図２０乃至図２２に示すように、弁部材１ｂと容器１０１とが一体的に構成される。ノズル１は、容器１０１を備えて構成される。
【０１２９】
ノズル１の弁部材１ｂは、ケース６０と、弁体６４と、操作体６６と、付勢体６９と、を有して構成される。
【０１３０】
ノズル１における弁部材１ｂのケース６０は、その軸心方向一端部（下流側部）がノズル本体１ａの上流側筒部材５０の支持壁５２に嵌挿可能に、構成される。
弁部材１ｂのケース６０は、その軸心方向一端部（下流側部）の内径が、他の部分の内径に比べて拡径されて形成される。
弁部材１ｂのケース６０の弁座６１は、ケース６０内における軸心方向一端部（下流側部）と他の部分との境界部分で構成される。ケース６０内における軸心方向一端部と他の部分との境界部分は、下流側に行くに従って拡径されるように形成される。
弁部材１ｂのケース６０は、貫通孔６３を有する。
弁部材１ｂのケース６０の貫通孔６３は、ケース６０の弁座６１の直上において、ケース６０の外面から内面に貫通するように形成される。
【０１３１】
ノズル１における容器１０１は、容器本体１０２を有して構成される。
容器１０１の容器本体１０２は、弁部材１ｂにおけるケース６０に固定される。
容器１０１の容器本体１０２は、弁部材１ｂにおけるケース６０の軸心方向他端から軸心方向一端部と他の部分との境界部分の外面を囲むように配置される。
容器１０１の容器本体１０２は、その内面とケース６０の外面とで構成される空間と弁部材１ｂのケース６０の貫通孔６３とが連通するように、配置される。
容器１０１の容器本体１０２は、その内面とケース６０の外面とで構成される空間内に流体を溜めることができるように構成される。
このようにして、ノズル１の弁部材１ｂと容器１０１とが一体的に構成される。
【０１３２】
ノズル１は、ノズル本体１ａの上流側筒部材５０の支持壁５２に弁部材１ｂのケース６０の一端部が嵌挿されて、ノズル１（ノズル本体１ａ）と弁部材１ｂとが一体的に構成される。
【０１３３】
ノズル１では、弁部材１ｂのケース６０の貫通孔６３、弁部材１ｂのケース６０内、ノズル本体１ａの上流側筒部材５０の支持壁５２内、および、ノズル本体１ａの上流側筒部材５０の内面と絞り部材３０の外面との間の空間が、ノズル１の流体流路として構成される。
【０１３４】
このように弁部材１ｂと容器１０１とを一体的に構成することにより、ノズル１と容器１０１とを接続するための管部材１１０が不要となり、ノズル１の回りに管部材１１０が配置されることの繁雑さを解消することができる。
【０１３５】
また、ノズル１は、空気導入量調節弁７０を有して構成される。
ノズル１の空気導入量調節弁７０は、容器１０１に配置される。ノズル１の空気導入量調節弁７０は、容器１０１の容器本体１０２が有する１０６と、外壁部材１０８とで構成される。
【０１３６】
ノズル１における容器１０１の容器本体１０２の内壁部１０６は、その上流側の外面から上方に突出するように形成されるとともに、その外面から内面に貫通するように形成される貫通孔１０７を有して構成される。
【０１３７】
ノズル１における空気導入量調節弁７０の外壁部材１０８は、容器本体１０２の内壁部１０６を覆うように容器本体１０２の内壁部１０６の外側に配置される。
空気導入量調節弁７０の外壁部材１０８は、その内径が、容器本体１０２の内壁部１０６の外径と略同一に形成される。
空気導入量調節弁７０の外壁部材１０８は、その開口側（底部と逆側）から容器本体１０２の内壁部１０６を嵌挿するようにして、容器本体１０２から上方に突出するようにして配置される。
空気導入量調節弁７０の外壁部材１０８は、このように配置された状態で、その貫通孔１０９が容器本体１０２の内壁部１０６の貫通孔１０７の位置と一致するように構成される。
空気導入量調節弁７０の外壁部材１０８は、このように配置された状態で、その突出する方向に対して周方向に回転可能に構成される。
【０１３８】
ノズル１は、空気導入量調節弁７０の外壁部材１０８を回転させて、外壁部材１０８の貫通孔１０９と容器本体１０２の内壁部１０６の貫通孔１０７とを重なるようにすることにより、外壁部材１０８の貫通孔１０９と容器本体１０２の内壁部１０６の貫通孔１０７とが連通するように、構成される。
ノズル１は、空気導入量調節弁７０内が、容器本体１０２の内面と弁部材１ｂのケース６０の外面とで構成される空間、弁部材１ｂのケース６０の貫通孔６３、弁部材１ｂのケース６０内、および、ノズル本体１ａの上流側筒部材５０の支持壁５２内を介して、上流側筒部材５０の内面と絞り部材３０の外面との間の空間に連通するように、構成される。
【０１３９】
このため、ノズル１では、空気導入量調節弁７０の外壁部材１０８を回転させて、外壁部材１０８の貫通孔１０９と容器本体１０２の内壁部１０６の貫通孔１０７とが連通した状態では、当該外壁部材１０８の貫通孔１０９および容器本体１０２の内壁部１０６の貫通孔１０７を介して、空気導入量調節弁７０内に空気が導入されることとなる。ノズル１では、前記空気導入量調節弁７０内に導入された空気が、容器本体１０２の内面と弁部材１ｂのケース６０の外面とで構成される空間、弁部材１ｂのケース６０の貫通孔６３、弁部材１ｂのケース６０内、および、ノズル本体１ａの上流側筒部材５０の支持壁５２内を介して、上流側筒部材５０の貫通孔５３の外側の開口５３ａ（空気導入部７における空気の入口）から、ノズル１内に導入されることとなる。
【０１４０】
そして、ノズル１は、空気導入量調節弁７０の外壁部材１０８を回転させて、外壁部材１０８の貫通孔１０９と容器本体１０２の内壁部１０６の貫通孔１０７とが重なる部分の大きさを大きくまたは小さくできるように、構成される。ノズル１は、外壁部材１０８の貫通孔１０９と容器本体１０２の内壁部１０６の貫通孔１０７とが重なる部分の大きさを大きくして空気導入量調節弁７０内に導入される空気の量を増加させ、外壁部材１０８の貫通孔１０９と容器本体１０２の内壁部１０６の貫通孔１０７とが重なる部分の大きさを小さくして空気導入量調節弁７０内に導入される空気の量を減少するように構成される。
【０１４１】
次に、本発明の第六実施形態に係るノズル１について、図２３乃至図３０を用いて説明する。
なお、第六実施形態に係るノズル１の説明は、第一実施形態乃至第五実施形態に係るノズル１と同様の構成の部分については適宜省略し、第一実施形態乃至第五実施形態に係るノズル１の構成と異なる部分を中心に説明する。
【０１４２】
ノズル１は、水流入部２と、絞り部３と、流体導入部４と、吐出口５と、断続的遮断部６と、空気導入部７と、を備える。
ノズル１は、図２３に示すように、ノズル本体１ａを具備し、容器１０１に接続されるように構成される。
ノズル本体１ａは、シャワーヘッド８で構成される水の流出口１００に取付けられて構成される。
シャワーヘッド８は、ヘッド部８ａの吐出面８ｂから水（シャワー水）を吐出するように構成される。
【０１４３】
ノズル１におけるノズル本体１ａの容器１０１は、容器本体１０２と、管部材１１３と、備えて構成される。
ノズル本体１ａは、容器１０１の管部材１１３を介して容器本体１０２に取付けられて、容器１０１と一体的に構成される。
容器１０１の容器本体１０２は、略円柱状に構成される。
容器１０１の容器本体１０２は、その天部から上方に突出する突出部１０２ａを有する。
容器１０１は、管部材１１３が容器１０１の容器本体１０２の突出部１０２ａに着脱可能に固定されて構成される。
【０１４４】
ノズル１におけるノズル本体１ａの上流側筒部材５０は、導入孔５１と貫通孔５３とを有する。
ノズル本体１ａは、容器１０１の管部材１１３の一端がノズル本体１ａの上流側筒部材５０の導入孔５１に嵌挿され、管部材１１３の他端が容器本体１０２の突出部１０２ａの開口から挿入されて容器本体１０２内に配置されて、容器１０１に取付けられる。
ノズル１では、ノズル本体１ａの上流側筒部材５０の内面と絞り部材３０の外面との間の空間がノズル１の流体流路として構成される。
【０１４５】
図２３乃至図２６に示すように、ノズル１におけるノズル本体１ａの空気導入量調節弁７０は、固定部材１２０と、回転部材１２１と、を備える。
【０１４６】
ノズル１における空気導入量調節弁７０の固定部材１２０は、円筒状に形成されるとともに、外面から内面に貫通するように形成される貫通孔１２２を有して構成される。
空気導入量調節弁７０の固定部材１２０は、その軸心方向一端部がノズル本体１ａにおける上流側筒部材５０の貫通孔５３に嵌挿されて、上流側筒部材５０から側方に突出するように配置される。
【０１４７】
ノズル１における空気導入量調節弁７０の回転部材１２１は、略円筒状に形成される。
空気導入量調節弁７０の回転部材１２１は、一端部の外径が固定部材１２０の内経と略同一に形成されて、一端部が固定部材１２０内に嵌挿可能に構成される。
空気導入量調節弁７０の回転部材１２１は、一端部において外面から内面に貫通する貫通孔１２３を有して構成される。
空気導入量調節弁７０の回転部材１２１は、他端側にフランジが形成されて構成される。
空気導入量調節弁７０の回転部材１２１は、一端部が固定部材１２０の軸心方向他端部側から固定部材１２０内に嵌挿された状態で、フランジが固定部材１２０から側方に突出するように配置される。
空気導入量調節弁７０の回転部材１２１は、このように配置された状態で、その貫通孔１２３の位置と固定部材１２０の貫通孔１２２の位置とが一致するように構成される。
空気導入量調節弁７０の回転部材１２１は、このように配置された状態で、その突出する方向に対して周方向に回転可能に構成される。
空気導入量調節弁７０の回転部材１２１は、その他端側の開口１２１ａがフランジの外側の面に形成される。
【０１４８】
ノズル１におけるノズル本体１ａは、空気導入量調節弁７０の内部が、ノズル本体１ａにおける上流側筒部材５０の貫通孔５３を介して、上流側筒部材５０の内面と絞り部材３０の外面との間の空間に連通するように、構成される。
ノズル本体１ａは、空気導入量調節弁７０の回転部材１２１の他端側の開口１２１ａを介して空気導入量調節弁７０内に空気が導入されるように、構成される。
ノズル本体１ａは、空気導入量調節弁７０の回転部材１２１を回転させて、固定部材１２０の貫通孔１２２と回転部材１２１の貫通孔１２３とが重ならないようにすることにより、固定部材１２０の貫通孔１２２と回転部材１２１の貫通孔１２３とが連通しないように、構成される（図２８または図２９参照）。
ノズル本体１ａは、空気導入量調節弁７０の回転部材１２１を回転させて、固定部材１２０の貫通孔１２２と回転部材１２１の貫通孔１２３とを重なるようにすることにより、固定部材１２０の貫通孔１２２と回転部材１２１の貫通孔１２３とが連通するように、構成される（図２８または図２９参照）。
【０１４９】
ノズル１におけるノズル本体１ａでは、空気導入量調節弁７０の回転部材１２１を回転させて、回転部材１２１の貫通孔１２３と固定部材１２０の貫通孔１２２とが連通してない状態では、回転部材１２１の他端側の開口１２１ａを介して、空気導入量調節弁７０内に空気が導入されることとなる。
また、ノズル１では、ノズル本体１ａの空気導入量調節弁７０の回転部材１２１を回転させて、回転部材１２１の貫通孔１２３と固定部材１２０の貫通孔１２２とが連通した状態では、当該回転部材１２１の貫通孔１２３と固定部材１２０の貫通孔１２２、および、回転部材１２１の他端側の開口１２１ａを介して、空気導入量調節弁７０内に空気が導入されることとなる。
ノズル１では、前記ノズル本体１ａの空気導入量調節弁７０内に導入された空気が、ノズル本体１ａにおける上流側筒部材５０の貫通孔５３の外側の開口５３ａから、ノズル本体１ａ内に導入されることとなる。
ノズル１では、ノズル本体１ａの空気導入量調節弁７０（回転部材１２１および固定部材１２０）内、上流側筒部材５０の貫通孔５３、および、ノズル本体１ａの上流側筒部材５０の内面と絞り部材３０の外面との間の空間が、ノズル１の空気導入部７として構成される。
ノズル１では、ノズル本体１ａの空気導入量調節弁７０の回転部材１２１の貫通孔１２３と固定部材１２０の貫通孔１２２、および、回転部材１２１の他端側の開口１２１ａが、ノズル１内に空気が導入される空気の入口の開口（空気導入部７における空気の入口）として構成される。
【０１５０】
そして、ノズル１におけるノズル本体１ａは、空気導入量調節弁７０の回転部材１２１を回転させて、回転部材１２１の貫通孔１２３と固定部材１２０の貫通孔１２２とが重なる部分の大きさを大きくまたは小さくできるように、構成される（図２８または図２９参照）。ノズル本体１ａは、回転部材１２１の貫通孔１２３と固定部材１２０の貫通孔１２２とが重なる部分の大きさを大きくして空気導入量調節弁７０内に導入される空気の量を増加させ、回転部材１２１の貫通孔１２３と固定部材１２０の貫通孔１２２とが重なる部分の大きさを小さくして空気導入量調節弁７０内に導入される空気の量を減少させるように構成される。
【０１５１】
このように、ノズル１では、ノズル本体１ａの空気導入量調節弁７０の回転部材１２１の貫通孔１２３と固定部材１２０の貫通孔１２２とが重なる部分の大きさを大きくまたは小さくして、当該回転部材１２１の貫通孔１２３および固定部材１２０の貫通孔１２２を介して空気導入量調節弁７０内に導入される空気の量を増減させることができる。
つまり、ノズル１では、ノズル本体１ａの空気導入量調節弁７０の回転部材１２１の貫通孔１２３と固定部材１２０の貫通孔１２２とが重なる部分の大きさを大きくまたは小さくして、ノズル本体１ａにおける空気導入部７における空気の入口からノズル本体１ａ内に導入される空気の量を増減させることができる。
したがって、ノズル１によれば、ノズル本体１ａの空気導入量調節弁７０によって、空気導入部７における空気の入口からノズル本体１ａ内に導入される空気の量の調節を微細に行うことができる。
【０１５２】
ノズル１におけるノズル本体１ａは、空気導入量調節弁７０の回転部材１２１の他端側の開口１２１ａを（例えば指で）閉鎖（一部を閉鎖）するようにして、回転部材１２１の他端側の開口１２１ａを介して空気導入量調節弁７０内に導入される空気の量を減少することができるように構成される（図２９参照）。
したがって、ノズル１によれば、ノズル本体１ａの空気導入量調節弁７０によって、空気導入部７における空気の入口からノズル本体１ａ内に導入される空気の量の調節を微細に行うことができる。
【０１５３】
ノズル１におけるノズル本体１ａは、の空気導入量調節弁７０内（上流側筒部材５０の貫通孔５３）と、上流側筒部材５０の導入孔５１とは、上流側筒部材５０の内面と絞り部材３０の外面との間の空間を介して、連通するように構成される。
このため、ノズル１では、ノズル本体１ａの空気導入部７における空気の入口（回転部材１２１の他端側の開口１２１ａ、および／または、空気導入量調節弁７０の回転部材１２１の貫通孔１２３と固定部材１２０の貫通孔１２２）を閉鎖（または、一部閉鎖）すると、ノズル本体１ａにおける絞り部材３０の絞り孔３４から流出する水の水流に吸引される流体の量が増加し、当該水に混入する流体の量を増加させることができる。
【０１５４】
さらに、ノズル１におけるノズル本体１ａは、空気導入量調節弁７０の回転部材１２１を回転させて固定部材１２０の貫通孔１２２と回転部材１２１の貫通孔１２３とが重ならないようにし、且つ、回転部材１２１の他端側の開口１２１ａを（例えば指で）閉鎖することにより、空気導入部７における空気の入口（ノズル本体１ａにおける上流側筒部材５０の貫通孔５３の外側の開口５３ａ）からノズル本体１ａ内に空気が導入されないように構成される。
したがって、ノズル１によれば、ノズル本体１ａの空気導入量調節弁７０の回転部材１２１を回転させて固定部材１２０の貫通孔１２２と回転部材１２１の貫通孔１２３とが重ならないようにし、且つ、回転部材１２１の他端側の開口１２１ａを（例えば指で）閉鎖することにより、絞り部材３０の絞り孔３４から流出する水に流体のみを混入させることができる。
【０１５５】
ノズル１におけるノズル本体１ａの空気導入量調節弁７０の回転部材１２１は、その他端側の開口１２１ａがフランジの外側の面に形成されるとともに、大人の指の腹よりも小さく（例えば、その直径が３ｍｍ以上１ｃｍ以下の程度の大きさに）開口するように形成されて構成される。
このため、ノズル１では、ノズル本体１ａの空気導入部７における空気の入口（回転部材１２１の他端側の開口１２１ａ）を（例えば指で）閉鎖する動作を容易に行うことができる。
【０１５６】
図２３に示すように、ノズル１におけるノズル本体１ａは、シャワーヘッド８の吐出面８ｂに固定して取付けられる。
ノズル本体１ａは、シャワーヘッド８の吐出面８ｂの中央部に配置される。ノズル本体１ａは、シャワーヘッド８の吐出面８ｂから突出するように配置される。
このように、水の流出口１００がシャワーヘッド８で構成され、ノズル本体１ａがシャワーヘッド８の吐出面８ｂに固定して取付けられるノズル１では、シャワー水とともに流体混入水を対象物に吐出することができる。
【０１５７】
シャワーヘッド８は、吐出面８ｂにおける水を吐出する部分の大きさを変更（大きくまたは小さく）するための途水切換スイッチを備える。
シャワーヘッド８は、切換スイッチを操作することによって、吐出面８ｂの中央部のみから水（シャワー水）を吐出する場合と、吐出面８ｂの全体から水（シャワー水）を吐出する場合と、を切換スイッチによって切換えることができるように構成される。
そして、ノズル１では、シャワーヘッド８の切換スイッチを操作してシャワーヘッド８の吐出面８ｂの全体から水を吐出するようにした場合には、ノズル本体１ａから水（流体混入水）が吐出されることに加えて、ノズル本体１ａの周り（シャワーヘッド８の吐出面８ｂにおけるノズル本体１ａが取付けられていない部分）からも水が吐出される（図３０参照）。
また、ノズル１では、シャワーヘッド８の切換スイッチを操作してシャワーヘッド８の吐出面８ｂの中央部のみから水を吐出するようにした場合には、ノズル本体１ａがシャワーヘッド８の吐出面８ｂの中央部に配置されることから、ノズル本体１ａのみから水（流体混入水）が吐出される（図２９参照）。
このように、シャワーヘッド８が吐出面８ｂにおける水を吐出する部分の大きさを変更するための切換スイッチを備えるため、ノズル１では、シャワーヘッド８の切換スイッチを操作して、シャワー水とともに流体混入水を対象物に吐出する場合と、または、流体混入水のみを対象物に吐出する場合と、を容易に切替えることができるものを、コンパクトに構成することができる。
【０１５８】
なお、容器１０１は、容器本体１０２から管部材１１３を取外して、容器本体１０２の突出部１０２ａから流体を補充することができるように構成される。
容器１０１は、容器本体１０２と管部材１１３とが一体的に構成されて、流体を補充することができないもので構成することもできる。
また、ノズル１は、弁部材１ｂを具備する構成とすることもできる。
【０１５９】
次に、本発明の第七実施形態に係るノズル１について、図３１乃至図３５を用いて説明する。
なお、第七実施形態に係るノズル１の説明は、第一実施形態乃至第六実施形態に係るノズル１と同様の構成の部分については適宜省略し、第一実施形態乃至第五実施形態に係るノズル１の構成と異なる部分を中心に説明する。
【０１６０】
ノズル１は、水流入部２と、絞り部３と、流体導入部４と、吐出口５と、断続的遮断部６と、空気導入部７と、を備える。
ノズル１は、図３１または図３２に示すように、ノズル本体１ａと、上流側管部材１１４と、下流側管部材１１５と、を具備し、容器１０１に接続されるように構成される。
ノズル１におけるノズル本体１ａは、シャワーヘッド８で構成される水の流出口１００に取付けられて構成される。
シャワーヘッド８は、吐出面８ｂから水（シャワー水）を吐出するように構成される。
ノズル本体１ａは、シャワーヘッド８の吐出面８ｂに固定して取付けられる。
【０１６１】
ノズル１では、シャワーヘッド８のグリップ部８ｃ内の空間が容器１０１として構成される。シャワーヘッド８のグリップ部８ｃは、中空状に形成されて、流体が溜められるように構成される。
シャワーヘッド８のグリップ部８ｃは、ヘッド部８ａよりも上流側に配置される。
シャワーヘッド８は、ホース１１６の先端部がグリップ部８ｃ内に挿入されてヘッド部８ａに至るように配置されて、ホース１１６の先端部からヘッド部８ａ内に水が供給されるように構成される。
このように、流体が溜められる容器１０１がシャワーヘッド８のグリップ部８ｃ内の空間で構成されるノズル１では、シャワー水とともに流体混入水を対象物に吐出することができるものをコンパクトに構成することができ、流体混入水を対象物に吐出する作業時のノズル１の操作性を向上させることができる。
【０１６２】
シャワーヘッド８は、補充孔８ｅと、貫通孔８ｆと、を有する。
シャワーヘッド８の補充孔８ｄは、グリップ部８ｃ内（容器１０１）に流体を補充するときに用いられる。
シャワーヘッド８の補充孔８ｄは、グリップ部８ｃ外からグリップ部８ｃ内に貫通するように形成される。
シャワーヘッド８の補充孔８ｄは、グリップ部８ｃの上部（吐出面８ｂと反対側）に形成される。シャワーヘッド８の補充孔８ｄは、グリップ部８ｃの下流側（ヘッド部８ａ側）に形成される。シャワーヘッド８の補充孔８ｄは、グリップ部８ｃにおけるグリップ部８ｃとヘッド部８ａとの境界部分近傍に形成される。
シャワーヘッド８の貫通孔８ｆは、グリップ部８ｃ外からグリップ部８ｃ内に貫通するように形成される。
シャワーヘッド８の貫通孔８ｆは、グリップ部８ｃの下部（吐出面８ｂ側）に形成される。シャワーヘッド８の貫通孔８ｆは、グリップ部８ｃの下流側（ヘッド部８ａ側）に形成される。シャワーヘッド８の貫通孔８ｆは、グリップ部８ｃにおけるグリップ部８ｃとヘッド部８ａとの境界部分近傍に形成される。
【０１６３】
ノズル１におけるノズル本体１ａの上流側筒部材５０は、導入孔５１と貫通孔５３とを有する。
図３１乃至図３３に示すように、ノズル本体１ａの空気導入量調節弁７０は、固定部材１２４と、回転部材１２１と、を備える。
【０１６４】
ノズル１におけるノズル本体１ａの空気導入量調節弁７０の固定部材１２４は、本体部１２５と、貫通孔１２６と、突出部１２７と、を有して構成される。
ノズル本体１ａの空気導入量調節弁７０の固定部材１２４の本体部１２５は、円筒状に形成される。
ノズル本体１ａの空気導入量調節弁７０の固定部材１２４の貫通孔１２６は、本体部１２５の外面から内面に貫通するように形成される。
ノズル本体１ａの空気導入量調節弁７０の固定部材１２４の突出部１２７は、本体部１２５の中途部から軸心方向に対して交差する方向（上方）に突出するように形成される。
ノズル本体１ａの空気導入量調節弁７０の固定部材１２４は、本体部１２５内と突出部１２７内とが連通するように構成される。
【０１６５】
ノズル１におけるノズル本体１ａの空気導入量調節弁７０の回転部材１２１は、一端部が固定部材１２４の軸心方向他端部側から固定部材１２４内に嵌挿された状態で、フランジが固定部材１２４から側方に突出するように配置される。
ノズル本体１ａの空気導入量調節弁７０の回転部材１２１は、このように配置された状態で、その貫通孔１２３の位置と固定部材１２４の貫通孔１２６の位置とが一致するように構成される。
ノズル本体１ａの空気導入量調節弁７０の回転部材１２１は、このように配置された状態で、その突出する方向に対して周方向に回転可能に構成される。
ノズル本体１ａの空気導入量調節弁７０の回転部材１２１は、その他端側の開口１２１ａがフランジの外側の面に形成される。
【０１６６】
ノズル１におけるノズル本体１ａは、空気導入量調節弁７０の回転部材１２１を回転させて、固定部材１２４の貫通孔１２６と回転部材１２１の貫通孔１２３とが重ならないようにすることにより、固定部材１２４の貫通孔１２６と回転部材１２１の貫通孔１２３とが連通しないように、構成される。
ノズル本体１ａは、空気導入量調節弁７０の回転部材１２１を回転させて、固定部材１２４の貫通孔１２６と回転部材１２１の貫通孔１２３とを重なるようにすることにより、固定部材１２４の貫通孔１２６と回転部材１２１の貫通孔１２３とが連通するように、構成される。
【０１６７】
ノズル１におけるノズル本体１ａの空気導入量調節弁７０と容器１０１とが上流側管部材１１４を介して接続される。
上流側管部材１１４の一端部が空気導入量調節弁７０の固定部材１２４の軸心方向一端部に嵌挿され、上流側管部材１１４の他端部がシャワーヘッド８の貫通孔８ｆを介して容器１０１（シャワーヘッド８のグリップ部８ｃ）内に挿入されて容器１０１内（シャワーヘッド８のグリップ部８ｃ内）に配置される。
ノズル本体１ａの空気導入量調節弁７０内と容器１０１内とが上流側管部材１１４を介して連通するように構成される。
ノズル本体１ａの上流側筒部材５０の導入孔５１と空気導入量調節弁７０とが下流側管部材１１５を介して接続される。
下流側管部材１１５の一端部が空気導入量調節弁７０の固定部材１２４の突出部１２７に嵌挿され、下流側管部材１１５の他端部が上流側筒部材５０の導入孔５１に嵌挿される。
ノズル１では、ノズル本体１ａの空気導入量調節弁７０内とノズル本体１ａ内とが下流側管部材１１５を介して連通するように構成される。
ノズル１では、上流側管部材１１４内、ノズル本体１ａの空気導入量調節弁７０内（固定部材１２４内）、下流側管部材１１５内、上流側筒部材５０の導入孔５１、および、ノズル本体１ａの上流側筒部材５０の内面と絞り部材３０の外面との間の空間がノズル１の流体流路として構成される。
【０１６８】
ノズル１におけるノズル本体１ａでは、空気導入量調節弁７０の回転部材１２１を回転させて、回転部材１２１の貫通孔１２３と固定部材１２４の貫通孔１２６とが連通してない状態では、回転部材１２１の他端側の開口１２１ａを介して、空気導入量調節弁７０内に空気が導入されることとなる。
また、ノズル１では、ノズル本体１ａの空気導入量調節弁７０の回転部材１２１を回転させて、回転部材１２１の貫通孔１２３と固定部材１２４の貫通孔１２６とが連通した状態では、当該回転部材１２１の貫通孔１２３と固定部材１２４の貫通孔１２６、および、回転部材１２１の他端側の開口１２１ａを介して、空気導入量調節弁７０内に空気が導入されることとなる。
ノズル１では、前記ノズル本体１ａの空気導入量調節弁７０内に導入された空気が、ノズル本体１ａにおける上流側筒部材５０の導入孔５１から、ノズル本体１ａ内に導入されることとなる。
ノズル１では、ノズル本体１ａの空気導入量調節弁７０（回転部材１２１および固定部材１２４）内、下流側管部材１１５内、上流側筒部材５０の導入孔５１、および、ノズル本体１ａの上流側筒部材５０の内面と絞り部材３０の外面との間の空間が、ノズル１の空気導入部７として構成される。
ノズル１では、ノズル本体１ａの空気導入量調節弁７０の回転部材１２１の貫通孔１２３と固定部材１２４の貫通孔１２６、および、回転部材１２１の他端側の開口１２１ａが、ノズル１内に空気が導入される空気の入口の開口（空気導入部７における空気の入口）として構成される。
【０１６９】
ノズル１では、上流側管部材１１４は、他端がシャワーヘッド８のグリップ部８ｃ内においてその上流側（ヘッド部８ａと反対側）に位置するように配置される。
ノズル１では、上流側管部材１１４は、他端がシャワーヘッド８のグリップ部８ｃ内においてその底部近傍に位置するように配置される。
このように、ノズル本体１ａの空気導入量調節弁７０内と容器１０１内とが上流側管部材１１４を介して連通するように構成され、上流側管部材１１４の他端がシャワーヘッド８のグリップ部８ｃ内においてその底部近傍に位置するように上流側管部材１１４が配置されるノズル１では、シャワーヘッド８のグリップ部８ｃ（容器１０１）内の流体が減少して少量になったときでも、上流側管部材１１４を介してシャワーヘッド８のグリップ部８ｃ（容器１０１）内の流体をノズル本体１ａに供給することができる。
【０１７０】
ノズル１では、上流側管部材１１４は、他端がシャワーヘッド８のグリップ部８ｃ内においてその下部側（吐出面８ｂ側）に位置するように配置される。
このように、ノズル本体１ａの上流側管部材１１４の他端がシャワーヘッド８のグリップ部８ｃ内においてその下部側（吐出面８ｂ側）に位置するように上流側管部材１１４が配置される、ノズル１では、シャワーヘッド８のグリップ部８ｃ（容器１０１）内の流体が減少して少量になったときにシャワーヘッド８（シャワーヘッド８のヘッド部８ａの吐出面８ｂ）を前下方に傾斜させた場合でも、上流側管部材１１４を介してシャワーヘッド８のグリップ部８ｃ（容器１０１）内の流体をノズル本体１ａに供給することができる。
【０１７１】
ノズル１におけるノズル本体１ａの空気導入量調節弁７０は、シャワーヘッド８の貫通孔８ｆの近傍に配置される。
ノズル本体１ａの空気導入量調節弁７０は、シャワーヘッド８のグリップ部８ｃの下部側（吐出面８ｂ側）に配置される。
ノズル本体１ａの空気導入量調節弁７０は、シャワーヘッド８のグリップ部８ｃの下部から吐出面８ｂ側方向に突出するように配置される。
このように、シャワーヘッド８のグリップ部８ｃの吐出面８ｂ側において吐出面８ｂ側方向に突出するようにノズル本体１ａの空気導入量調節弁７０が配置されるノズル１では、シャワーヘッド８のグリップ部８ｃを把持した側の手（当該手の人差し指）で、空気導入量調節弁７０の回転部材１２１の他端側の開口１２１ａを開閉する動作を行うことができ、流体混入水を対象物に吐出する作業時に、空気導入部７における空気の入口からノズル本体１ａ内に導入される空気の量を調節する動作を容易に行うことができる。
【０１７２】
ノズル１では、シャワーヘッド８の切換スイッチを操作してシャワーヘッド８の吐出面８ｂの全体から水を吐出するようにした場合には、ノズル本体１ａから水（流体混入水）が吐出されることに加えて、ノズル本体１ａの周り（シャワーヘッド８の吐出面８ｂにおけるノズル本体１ａが取付けられていない部分）からも水が吐出される（図３５参照）。
また、ノズル１では、シャワーヘッド８の切換スイッチを操作してシャワーヘッド８の吐出面８ｂの中央部のみから水を吐出するようにした場合には、ノズル本体１ａがシャワーヘッド８の吐出面８ｂの中央部に配置されることから、ノズル本体１ａのみから水（流体混入水）が吐出される（図３４参照）。
【０１７３】
なお、ノズル１は、弁部材１ｂを具備する構成とすることもできる。
【符号の説明】
【０１７４】
１      ノズル
１ａ    ノズル本体
１ｂ    弁部材
２      流入部
３      絞り部
４      流体導入部
５      吐出口
６      断続的遮断部
７      空気導入部
１０    接続部材
２０    水流方向変換部材
３０    絞り部材
４０    回転体
５０    上流側筒部材
５５    下流側筒部材
６０    ケース
６１    弁座
６４    弁体
６６    操作体
１００  水の流出口
１０１  容器
【図１】
2013198892.tif 000003
【図２】
2013198892.tif 000004
【図３】
2013198892.tif 000005
【図４】
2013198892.tif 000006
【図５】
2013198892.tif 000007
【図６】
2013198892.tif 000008
【図７】
2013198892.tif 000009
【図８】
2013198892.tif 000010
【図９】
2013198892.tif 000011
【図１０】
2013198892.tif 000012
【図１１】
2013198892.tif 000013
【図１２】
2013198892.tif 000014
【図１３】
2013198892.tif 000015
【図１４】
2013198892.tif 000016
【図１５】
2013198892.tif 000017
【図１６】
2013198892.tif 000018
【図１７】
2013198892.tif 000019
【図１８】
2013198892.tif 000020
【図１９】
2013198892.tif 000021
【図２０】
2013198892.tif 000022
【図２１】
2013198892.tif 000023
【図２２】
2013198892.tif 000024
【図２３】
2013198892.tif 000025
【図２４】
2013198892.tif 000026
【図２５】
2013198892.tif 000027
【図２６】
2013198892.tif 000028
【図２７】
2013198892.tif 000029
【図２８】
2013198892.tif 000030
【図２９】
2013198892.tif 000031
【図３０】
2013198892.tif 000032
【図３１】
2013198892.tif 000033
【図３２】
2013198892.tif 000034
【図３３】
2013198892.tif 000035
【図３４】
2013198892.tif 000036
【図３５】
2013198892.tif 000037